(57)【要約】  【課題】  同一の送電装置で異なる種類の受電機器に電力を供給することができるとともに省スペースを可能にした電力供給システムを提供することを目的とする。  【解決手段】  共用クレードル４は内部にコイルを含む送電モジュールを備えるとともに商用電圧が供給されており、ＰＤＡ３は内部にコイルを含む受電モジュールを備えている。ＰＤＡ３を共用クレードル４上に載置することで、ＰＤＡ３内のコイルと共用クレードル４内のコイルとの間で磁気結合が発生して、共用クレードル４に供給される商用電圧に基づいてＰＤＡ３内のコイルの両端に電圧が誘起され、ＰＤＡ３に電力が供給される。このとき、共用クレードル４とＰＣ２との間でデータ通信可能である構成とすることで、ＰＣ２とＰＤＡとの間でデータ伝送を行うことができる。【選択図】      図１
2006141170.tif 000002
【特許請求の範囲】
【請求項１】
送電装置から受電装置に対して非接触な方式で電力を供給する電力供給システムであって、
１次側コイルと、入力される直流電圧をスイッチングしたパルス電圧を前記１次側コイルに与える１次側回路とを有する送電装置と、
前記１次側コイルと磁気結合される２次側コイルと、該２次側コイルに誘起される誘起電圧を整流平滑する２次側回路とを有する受電装置と、を有し、
前記送電装置が、前記受電装置の受電可能な電力の大きさに応じて送電電力の調整を行う電力調整部を備えるとともに、ＰＣと有線又は無線によって電気的に接続されることで電子情報の送受信が可能な構成であり、
前記電子情報が、前記１次側コイルと前記２次側コイルとで構成される磁気結合を介して前記送電装置と前記受電装置との間で伝送可能であることを特徴とする電力供給システム。
【請求項２】
前記送電装置が、前記１次側コイルに定期的に搬送波を与える搬送波発振部と、前記搬送波に応答して前記受電装置から変調されて与えられる情報信号を前記１次側コイルを介して受信して復調する第１の復調部を備え、
前記受電装置が、前記２次側コイルに伝送される前記搬送波を検知する搬送波検知部と、前記搬送波検知部が検知した前記搬送波から変調に必要なクロック信号を抽出するクロック抽出部と、前記搬送波検知部が前記搬送波を検知したときに前記クロック信号を利用して前記情報信号に基づいて前記搬送波を変調して前記２次側コイルを介して送信する第１の変調部と、を備え、
前記電力調整部が、前記第１の復調部で復調される情報信号に基づいて送電電力の調整を行うことを特徴とする請求項１に記載の電力供給システム。
【請求項３】
前記送電装置が、前記ＰＣから電子情報が与えられると前記電子情報に基づいて前記搬送波に応答して所定の変調処理を施して前記１次側コイルを介して前記受信装置に対して送信する第２の変調部を備え、
前記受電装置が、前記２次側コイルを介して前記第２の変調部から与えられる電気信号に所定の復調処理を施して前記電子情報を取得する第２の復調部を備えることを特徴とする請求項１又は請求項２に記載の電力供給システム。
【請求項４】
前記受電装置が、充電可能な２次電池を備えるとともに、前記２次電池の充電状態を認識できる充電制御部を有し、
前記情報信号が、前記充電制御部が認識した前記２次電池の充電状態を含み、
前記送電装置が、該送電装置に与えられる変調された前記情報信号を前記第１の復調部が復調することで前記充電状態の確認を行うとともに、前記充電状態が満充電状態である場合には受電装置に対する送電を停止する判定を行う満充電判定部を備えることを特徴とする請求項２又は請求項３のいずれかに記載の電力供給システム。
【請求項５】
前記情報信号が、前記受電装置が前記送電装置から受電可能である装置である旨の情報である対応装置情報を含み、
前記送電装置が、該送電装置に与えられる変調された前記情報信号を前記第１の復調部が復調することで、前記対応装置情報が取得できれば前記受電装置に対して送電を行い、前記対応装置情報が取得できなければ前記受電装置に対して送電を行わない内容の判定を行う送電可否判定部を備えることを特徴とする請求項２〜請求項４のいずれかに記載の電力供給システム。
【請求項６】
前記送電装置が、前記１次側コイルに定期的に搬送波を与える搬送波発振部を備えるとともに、前記ＰＣから与えられる電気信号に基づいて、前記搬送波に応答して所定の変調処理を施した変調信号を前記１次側コイルに与え、
前記受電装置が、前記磁気結合を介して前記２次側コイルに誘起される前記変調信号に基づく電気信号を受信するとともに、該電気信号を復調する第２の復調部を備え、
前記第２の復調部が復調して得られる復調信号に基づいて前記電子情報が前記受電装置に与えられることを特徴とする請求項１〜請求項５のいずれかに記載の電力供給システム。
【請求項７】
前記受電装置が、充電可能な２次電池を備えるとともに、前記２次電池の充電状態を認識できる充電制御部を有し、
前記情報信号が、前記充電制御部が認識した前記２次電池の充電状態を含み、
前記送電装置が、該送電装置に与えられる変調された前記情報信号を前記第１の復調部が復調することで前記充電状態の確認を行うとともに、前記充電状態に応じて前記電子情報を前記受電装置に送信するかどうかの判定を行う電子情報送信判定部を備えることを特徴とする請求項６に記載の電力供給システム。
【請求項８】
前記電子情報送信判定部が、前記充電状態に加えて前記電子情報の容量に基づいて該電子情報を前記受電装置に送信するかどうかの判定の行うことを特徴とする請求項７に記載の電力供給システム。
【請求項９】
前記送電装置が所定の信号に基づいて発光する発光ダイオードを内部に備え、
前記発光ダイオードが、前記受電装置を近接させると前記１次側コイルと前記２次側コイルとで形成される磁気結合によって前記１次側コイルと前記２次側コイル間で伝達される送電電力の伝達効率が所定の割合以上又は所定の割合を超える範囲を前記送電装置上に発光させることを特徴とする請求項１〜請求項８のいずれかに記載の電力供給システム。
【請求項１０】
前記送電装置が、前記１次側コイルを複数個備えるとともに、該複数個の１次側コイルの内の一つのコイルを選択する第１のコイル選択部を有し、
前記受電装置が、前記第１のコイル選択部が選択した前記１次側コイルと前記２次側コイルとで形成される磁気結合によって前記２次側コイル両端に誘起される電圧を測定する電圧測定部を有し、
前記電圧測定部が測定した電圧が所定の値以上又は所定の値を上回る値を示す場合の前記第１のコイル選択部が選択した前記１次側コイルと前記２次側コイルとで形成される磁気結合によって前記２次側コイルの両端に誘起される電圧が前記受電装置に与えられることを特徴とする請求項１〜請求項９のいずれかに記載の電力供給システム。
【請求項１１】
前記受電装置が、前記２次側コイルを複数個備えるとともに、該複数個の２次側コイルの内の一つのコイルを選択する第２のコイル選択部を有し、
前記電圧測定部が測定した電圧が所定の値以上又は所定の値を上回る値を示す場合の前記第１のコイル選択部が選択した前記１次側コイルと前記第２のコイル選択部が選択した前記２次側コイルとで形成される磁気結合によって前記第２のコイル選択部が選択した前記２次側コイルの両端に誘起される電圧が前記受電装置に与えられることを特徴とする請求項１０に記載の電力供給システム。
【請求項１２】
前記直流電圧が、前記送電装置に入力される商用電圧が整流平滑化されて得られることを特徴とする請求項１〜請求項１１のいずれかに記載の電力供給システム。
【請求項１３】
前記送電装置が該送電装置内部に電荷を蓄積できる電池を備えるとともに、前記直流電圧が該電池からの出力電圧を利用する構成であることを特徴とする請求項１〜請求項１１のいずれかに記載の電力供給システム。
【請求項１４】
前記電池が充電可能な２次電池で構成され、
前記送電装置が商用電圧が入力されるとともに、該入力される商用電圧が整流平滑化されて得られる直流電圧が前記電池に充電されることを特徴とする請求項１３に記載の電力供給システム。
【請求項１５】
近接される前記受電装置に対して電力を供給することを特徴とする請求項１〜請求項１４のいずれかに記載の送電装置。
【請求項１６】
請求項１５に記載の前記送電装置に近接させることで、前記送電装置から電力が供給されることを特徴とする請求項１〜請求項１４のいずれかに記載の受電装置。
【請求項１７】
少なくとも１つの前記送電装置を内部に備えるクレードルと、少なくとも１つの前記受電装置を内部に備える第１の電子機器と、前記第１の電子機器と有線又は無線によって電気的に接続されることで電子情報の送受信が可能なＰＣと、で構成され、
前記第１の電子機器を前記クレードル上に近接させることで、該クレードルから前記第１の電子機器に対して電力が供給されるとともに、前記ＰＣと第１の電子機器との間で電子情報の伝送が可能であることを特徴とする請求項１〜請求項１４のいずれかに記載の電力供給システム。
【請求項１８】
少なくとも１つの前記送電装置が天板に組み込まれたショーケースと、少なくとも１つの前記受電装置を内部に備える第１の電子機器と、前記第１の電子機器と有線又は無線によって電気的に接続されることで電子情報の送受信が可能なＰＣと、で構成され、
前記第１の電子機器を前記ショーケース上に近接させることで、該ショーケースから前記第１の電子機器に対して電力が供給されるとともに、前記ＰＣと第１の電子機器との間で電子情報の伝送が可能であることを特徴とする請求項１〜請求項１４のいずれかに記載の電力供給システム。
【請求項１９】
少なくとも１つの前記送電装置が側面板に組み込まれた本棚状の構造をするモバイル基地と、少なくとも１つの前記受電装置を内部に備えるモバイル機器と、前記モバイル基地と有線又は無線によって電気的に接続されることで電子情報の送受信が可能なＰＣと、で構成され、
前記モバイル機器を前記側面板に近接させて設置することで、該側面板から前記モバイル機器に対して電力が供給されるとともに、前記ＰＣと前記モバイル機器との間で電子情報の伝送が可能であることを特徴とする請求項１〜請求項１４のいずれかに記載の電力供給システム。
【請求項２０】
少なくとも１つの前記送電装置が側面板に組み込まれたアタッシェケースと、少なくとも１つの前記受電装置を内部に備えるモバイル機器と、前記アタッシェケースと有線又は無線によって電気的に接続されることで電子情報の送受信が可能なＰＣと、で構成され、
前記モバイル機器を前記側面板に近接させて設置することで、該側面板から前記モバイル機器に対して電力が供給されるとともに、前記ＰＣと前記モバイル機器との間で電子情報の伝送が可能であることを特徴とする請求項１〜請求項１４のいずれかに記載の電力供給システム。
【請求項２１】
少なくとも１つの前記送電装置が内部に組み込まれたマウスパッドと、少なくとも１つの前記受電装置を内部に備えるコードレスマウスと、前記マウスパッドと有線又は無線によって電気的に接続されることで電子情報の送受信が可能なＰＣと、で構成され、
前記コードレスマウスを前記マウスパッドに近接させて設置することで、該マウスパッドから前記コードレスマウスに対して電力が供給されるとともに、前記ＰＣと前記コードレスマウスとの間で電子情報の伝送が可能であることを特徴とする請求項１〜請求項１４のいずれかに記載の電力供給システム。
【請求項２２】
前記コードレスマウスが情報を記憶することのできるストレージを備え、該ストレージが前記ＰＣから与えられる前記電子情報を格納できることを特徴とする請求項２１に記載の電力供給システム。
【請求項２３】
少なくとも１つの前記送電装置が内部に組み込まれたパワーサプライパッドと、少なくとも１つの前記受電装置を内部に備える電気スリッパと、前記パワーサプライパッドと有線又は無線によって電気的に接続されることで電子情報の送受信が可能なＰＣと、で構成され、
前記電気スリッパを前記パワーサプライパッドに近接させて設置することで、該パワーサプライパッドから前記電気スリッパに対して電力が供給されるとともに、前記ＰＣと前記電気スリッパとの間で電子情報の伝送が可能であることを特徴とする請求項１〜請求項１４のいずれかに記載の電力供給システム。
【請求項２４】
前記電気スリッパが、加熱されるヒータと、前記ヒータの加熱制御を行う加熱制御部と、前記ヒータの温度を測定する温度センサと、前記ＰＣから伝送される電子情報を格納するストレージとを備え、
前記加熱制御部が、前記ストレージに格納される前記電子情報と前記温度センサが測定する前記ヒータの温度に基づいて前記ヒータの加熱制御を行うことを特徴とする請求項２３に記載の電力供給システム。
【請求項２５】
少なくとも１つの前記送電装置が内部に組み込まれたナレーション端末と、少なくとも１つの前記受電装置を内部に備えるとともに前記ナレーション端末が設置される設置スポットと、前記設置スポットと有線又は無線によって電気的に接続されることで電子情報の送受信が可能なＰＣと、で構成され、
前記ナレーション端末を前記設置スポットの所定の位置に設置することで、前記設置スポットから前記ナレーション端末に対して電力が供給されるとともに、前記ＰＣと前記ナレーション端末との間で電子情報の伝送が可能であることを特徴とする請求項１〜請求項１４のいずれかに記載の電力供給システム。
【請求項２６】
前記ナレーション端末が、所定の情報を再生する再生回路と、前記ＰＣから送られる電子情報を格納するストレージとを備え、
前記再生回路が、前記ストレージに格納される前記電子情報を読み出して再生することを特徴とする請求項２５に記載の電力供給システム。
【請求項２７】
少なくとも１つの前記送電装置が内部に組み込まれたクレードルと、少なくとも１つの前記受電装置を内部に備えるカラオケリモコンと、前記カラオケリモコンと有線又は無線によって電気的に接続されることで電子情報の送受信が可能なＰＣと、で構成され、
前記カラオケリモコンを前記クレードルに近接させることで、前記クレードルから前記カラオケリモコンに対して電力が供給されるとともに、前記ＰＣと前記カラオケリモコンとの間で電子情報の伝送が可能であることを特徴とする請求項１〜請求項１４のいずれかに記載の電力供給システム。
【請求項２８】
前記カラオケリモコンが、情報を読み出して表示する表示部と、前記ＰＣから伝送される電子情報を格納するストレージとを備え、
前記ＰＣが、全てのカラオケ情報がデータベース構造で格納される情報サーバに対して電気通信回線を介して接続可能な構成であり、
前記ＰＣが前記電気通信回線を介して前記情報サーバより取得した前記カラオケ情報が、前記ＰＣから前記カラオケリモコンに伝送されるとともに、当該伝送された前記カラオケ情報が前記ストレージに格納され、前記表示部が前記ストレージに格納された前記カラオケ情報を読み出して表示することを特徴とする請求項２７に記載の電力供給システム。
【発明の詳細な説明】
【技術分野】
【０００１】
本発明は、電子機器へ電力を供給する電力供給システムに関し、特に携帯電話、ノートパソコン、デジタルカメラ、電子玩具等のモバイル可能な電子機器に電力を供給する電力供給システムに関する。又、本発明は、この電力供給システムに用いられる送電装置並びに受電装置に関する。
【背景技術】
【０００２】
従来のモバイル可能な電子機器への電力供給システムの例を図１８〜図２０に示す。先ず、図１８は、従来の電力供給システムを搭載した携帯電話機とその携帯電話機の端子接触型専用充電器（ＡＣアダプタ）の外観を示す外観図である。図１８において、９０１は携帯電話機を示し、９０２は携帯電話機９０１に内蔵された蓄電池を充電するための端子接触型専用充電器（ＡＣアダプタ）のホルダーを示す。ＡＣアダプタのホルダー９０２には（ＡＣプラグ一体型の）ＡＣアダプタ９０３とコード９０４が取り付けられており、壁面等に設けられたコンセントに（ＡＣプラグ一体型の）ＡＣプラグ９０３を差し込むことにより商用電源（ＡＣ１００Ｖ）がＡＣアダプタ９０３に供給される。そして、ＡＣアダプタ９０３は、供給されたＡＣ１００Ｖを携帯電話機９０１の蓄電池の充電に使用するＤＣ電圧に変換し、コード９０４及びＡＣアダプタのホルダー９０２及び携帯電話機９０１の受電電極と接触する送電電極を介して、このＤＣ電圧で携帯電話機９０１の蓄電池を充電する。また、このＤＣ電圧は直接、携帯電話機９０１の駆動電源とすることもできる。
【０００３】
次に、図１９は、従来の他の電力供給システムを搭載したモバイル機器とそのモバイル機器の専用充電器（ＡＣアダプタ）の外観を示す外観図である。図１９において、９１１はモバイル機器を示し、９１２はモバイル機器９１１に内蔵された蓄電池を充電するための専用充電器（ＡＣアダプタ）を示す。ＡＣアダプタ９１２にはコード９１３、９１４とＡＣプラグ９１５が取り付けられており、壁面等に設けられたコンセントにＡＣプラグ９１５を差し込むことによりコード９１４を介して商用電源（ＡＣ１００Ｖ）がＡＣアダプタ９１２に供給される。そして、ＡＣアダプタ９１２は、供給されたＡＣ１００Ｖをモバイル機器９１１の蓄電池の充電に使用するＤＣ電圧に変換し、コード９１３を介して、このＤＣ電圧をモバイル機器９１１に供給し、内蔵された蓄電池を充電する。また、このＤＣ電圧は直接、モバイル機器９１１の駆動電源とすることもできる。
【０００４】
次に、図２０は、従来の他の電力供給システムを搭載したシェーバーとそのシェーバーの非接触型専用充電器（ＡＣアダプタ）の外観を示す外観図である。図２０において、９２１はシェーバーを示し、９２２はシェーバー９２１に内蔵された蓄電池を充電するための非接触型専用充電器（ＡＣアダプタ）を示す。ＡＣアダプタ９２２にはコード９２３とＡＣプラグ９２４とが取り付けられており、壁面等に設けられたコンセントにＡＣプラグ９２４を差し込むことによりコード９２３を介して商用電源（ＡＣ１００Ｖ）がＡＣアダプタ９２２に供給される。ＡＣアダプタ９２２は、供給されたＡＣ１００Ｖを一旦、直流電圧に変換した後にスイッチングし、磁気結合を利用した非接触電力供給方法によってシェーバー９２１の蓄電池に、充電に使用するＤＣ電圧を供給する。また、このＤＣ電圧は直接、シェーバー９２１の駆動電源とすることもできる。
【０００５】
又、本体の底部に２次側コイルを配設すると共に、充電器の本体載置部下に１次側コイルを配設し、本体を充電器の本体載置部に載置すると、本体載置部下に配設した１次側コイルと本体の底部に配設した２次側コイルが磁気結合され、本体内の蓄電池が充電される非接触充電装置において、本体のハウジングが、２次側コイルを縦断する面で分割された複数のハウジング部品を組み合わせて構成され、複数のハウジング部品の内、１つのハウジング部品にはその外周壁に連続して底壁が形成され、該底壁の内面に２次側コイルが配設され、且つ該底壁の外面は充電の際、充電器の本体載置部との接触面となる非接触充電装置がある（例えば、特許文献１参照）。
【特許文献１】特開２００１―１６７８９号公報
【発明の開示】
【発明が解決しようとする課題】
【０００６】
しかしながら、図１８〜図２０に示すように、携帯電話機９０１、ノートパソコン９１１、シェーバー９２１の各電子機器の充電には各電子機器ごとに専用のＡＣアダプタが必要であり、それ以外のＡＣアダプタを使用することはできない、即ち、ＡＣアダプタ同士に互換性が無いため、家庭内には多くのＡＣアダプタ及びこのＡＣアダプタを商用電源に接続するためのコードがあふれているという問題があった。
【０００７】
また、特許文献１に記載の従来技術では、ハウジングの底部で接合したハウジング部品間に段差が生じるような心配がなく、１次側コイルと２次側コイル間の距離を一定に保つことができるので、本体の電子機器に安定した充電電流を供給することはできるが、非接触充電装置が充電できる電子機器の種類は、予め定められた１種類のみであり、複数の種類の電子機器を充電することはできないという問題があった。
【０００８】
本発明は、上記の点に鑑み、同一の送電装置で異なる種類の受電機器に電力を供給することができるとともに省スペースを可能にした電力供給システムを提供することを目的とする。又、本発明は、この電力供給システムに用いられる送電装置並びに受電装置を提供することを別の目的とする。
【課題を解決するための手段】
【０００９】
上記目的を達成すべく、本発明の電力供給システムは、送電装置から受電装置に対して非接触な方式で電力を供給する電力供給システムであって、１次側コイルと、入力される直流電圧をスイッチングしたパルス電圧を前記１次側コイルに与える１次側回路とを有する送電装置と、前記１次側コイルと磁気結合される２次側コイルと、該２次側コイルに誘起される誘起電圧を整流平滑する２次側回路とを有する受電装置と、を有し、前記送電装置が、前記受電装置の受電可能な電力の大きさに応じて送電電力の調整を行う電力調整部を備えるとともに、ＰＣと有線又は無線によって電気的に接続されることで電子情報の送受信が可能な構成であり、前記電子情報が、前記１次側コイルと前記２次側コイルとで構成される磁気結合を介して前記送電装置と前記受電装置との間で伝送可能であることを特徴とする。
【００１０】
又、このとき、前記送電装置が、前記１次側コイルに定期的に搬送波を与える搬送波発振部と、前記搬送波に応答して前記受電装置から変調されて与えられる情報信号を前記１次側コイルを介して受信して復調する第１の復調部を備え、前記受電装置が、前記２次側コイルに伝送される前記搬送波を検知する搬送波検知部と、前記搬送波検知部が検知した前記搬送波から変調に必要なクロック信号を抽出するクロック抽出部と、前記搬送波検知部が前記搬送波を検知したときに前記クロック信号を利用して前記情報信号に基づいて前記搬送波を変調して前記２次側コイルを介して送信する第１の変調部と、を備え、前記電力調整部が、前記第１の復調部で復調される情報信号に基づいて送電電力の調整を行う構成としても構わない。
【００１１】
又、前記送電装置が、前記ＰＣから電子情報が与えられると前記電子情報に基づいて前記搬送波に応答して所定の変調処理を施して前記１次側コイルを介して前記受信装置に対して送信する第２の変調部を備え、前記受電装置が、前記２次側コイルを介して前記第２の変調部から与えられる電気信号に所定の復調処理を施して前記電子情報を取得する第２の復調部を備える構成としても構わない。
【００１２】
又、前記受電装置が、充電可能な２次電池を備えるとともに、前記２次電池の充電状態を認識できる充電制御部を有し、前記情報信号が、前記充電制御部が認識した前記２次電池の充電状態を含み、前記送電装置が、該送電装置に与えられる変調された前記情報信号を前記第１の復調部が復調することで前記充電状態の確認を行うとともに、前記充電状態が満充電状態である場合には受電装置に対する送電を停止する判定を行う満充電判定部を備える構成としても構わない。
【００１３】
又、前記情報信号が、前記受電装置が前記送電装置から受電可能である装置である旨の情報である対応装置情報を含み、前記送電装置が、該送電装置に与えられる変調された前記情報信号を前記第１の復調部が復調することで、前記対応装置情報が取得できれば前記受電装置に対して送電を行い、前記対応装置情報が取得できなければ前記受電装置に対して送電を行わない内容の判定を行う送電可否判定部を備える構成としても構わない。
【００１４】
又、前記送電装置が、前記１次側コイルに定期的に搬送波を与える搬送波発振部を備えるとともに、前記ＰＣから与えられる電気信号に基づいて、前記搬送波に応答して所定の変調処理を施した変調信号を前記１次側コイルに与え、前記受電装置が、前記磁気結合を介して前記２次側コイルに誘起される前記変調信号に基づく電気信号を受信するとともに、該電気信号を復調する第２の復調部を備え、前記第２の復調部が復調して得られる復調信号に基づいて前記電子情報が前記受電装置に与えられる構成としても構わない。
【００１５】
又、前記受電装置が、充電可能な２次電池を備えるとともに、前記２次電池の充電状態を認識できる充電制御部を有し、前記情報信号が、前記充電制御部が認識した前記２次電池の充電状態を含み、前記送電装置が、該送電装置に与えられる変調された前記情報信号を前記第１の復調部が復調することで前記充電状態の確認を行うとともに、前記充電状態に応じて前記電子情報を前記受電装置に送信するかどうかの判定の行う電子情報送信判定部を備える構成としても構わない。
【００１６】
又、前記電子情報送信判定部が、前記充電状態に加えて前記電子情報の容量に基づいて該電子情報を前記受電装置に送信するかどうかの判定を行う構成としても構わない。
【００１７】
又、前記送電装置が所定の信号に基づいて発光する発光ダイオードを内部に備え、前記発光ダイオードが、前記受電装置を近接させると前記１次側コイルと前記２次側コイルとで形成される磁気結合によって前記１次側コイルと前記２次側コイル間で伝達される送電電力の伝達効率が所定の割合以上又は所定の割合を超える範囲を前記送電装置上に発光させる構成としても構わない。
【００１８】
又、前記送電装置が、前記１次側コイルを複数個備えるとともに、該複数個の１次側コイルの内の一つのコイルを選択する第１のコイル選択部を有し、前記受電装置が、前記第１のコイル選択部が選択した前記１次側コイルと前記２次側コイルとで形成される磁気結合によって前記２次側コイル両端に誘起される電圧を測定する電圧測定部を有し、前記電圧測定部が測定した電圧が所定の値以上又は所定の値を上回る値を示す場合の前記第１のコイル選択部が選択した前記１次側コイルと前記２次側コイルとで形成される磁気結合によって前記２次側コイルの両端に誘起される電圧が前記受電装置に与えられる構成としても構わない。
【００１９】
又、前記受電装置が、前記２次側コイルを複数個備えるとともに、該複数個の２次側コイルの内の一つのコイルを選択する第２のコイル選択部を有し、前記電圧測定部が測定した電圧が所定の値以上又は所定の値を上回る値を示す場合の前記第１のコイル選択部が選択した前記１次側コイルと前記第２のコイル選択部が選択した前記２次側コイルとで形成される磁気結合によって前記第２のコイル選択部が選択した前記２次側コイルの両端に誘起される電圧が前記受電装置に与えられる構成としても構わない。
【００２０】
又、前記直流電圧が、前記送電装置に入力される商用電圧が整流平滑化されて得られる構成としても構わないし、前記送電装置が該送電装置内部に電荷を蓄積できる電池を備えるとともに、前記直流電圧が該電池からの出力電圧を利用する構成である構成としても構わない。更に、前記電池が充電可能な２次電池で構成され、前記送電装置が商用電圧が入力されるとともに、該入力される商用電圧が整流平滑化されて得られる直流電圧が前記電池に充電される構成としても構わない。
【００２１】
又、例えば、少なくとも１つの前記送電装置を内部に備えるクレードルと、少なくとも１つの前記受電装置を内部に備える第１の電子機器と、前記第１の電子機器と有線又は無線によって電気的に接続されることで電子情報の送受信が可能なＰＣと、で構成され、前記第１の電子機器を前記クレードル上に近接させることで、該クレードルから前記第１の電子機器に対して電力が供給されるとともに、前記ＰＣと第１の電子機器との間で電子情報の伝送が可能である構成とすることができる。
【００２２】
又、例えば、少なくとも１つの前記送電装置が天板に組み込まれたショーケースと、少なくとも１つの前記受電装置を内部に備える第１の電子機器と、前記第１の電子機器と有線又は無線によって電気的に接続されることで電子情報の送受信が可能なＰＣと、で構成され、前記第１の電子機器を前記ショーケース上に近接させることで、該ショーケースから前記第１の電子機器に対して電力が供給されるとともに、前記ＰＣと第１の電子機器との間で電子情報の伝送が可能である構成とすることができる。
【００２３】
又、例えば、少なくとも１つの前記送電装置が側面板に組み込まれた本棚状の構造をするモバイル基地と、少なくとも１つの前記受電装置を内部に備えるモバイル機器と、前記モバイル基地と有線又は無線によって電気的に接続されることで電子情報の送受信が可能なＰＣと、で構成され、前記モバイル機器を前記側面板に近接させて設置することで、該側面板から前記モバイル機器に対して電力が供給されるとともに、前記ＰＣと前記モバイル機器との間で電子情報の伝送が可能である構成とすることができる。
【００２４】
又、例えば、少なくとも１つの前記送電装置が側面板に組み込まれたアタッシェケースと、少なくとも１つの前記受電装置を内部に備えるモバイル機器と、前記アタッシェケースと有線又は無線によって電気的に接続されることで電子情報の送受信が可能なＰＣと、で構成され、前記モバイル機器を前記側面板に近接させて設置することで、該側面板から前記モバイル機器に対して電力が供給されるとともに、前記ＰＣと前記モバイル機器との間で電子情報の伝送が可能である構成とすることができる。
【００２５】
又、例えば、少なくとも１つの前記送電装置が内部に組み込まれたマウスパッドと、少なくとも１つの前記受電装置を内部に備えるコードレスマウスと、前記マウスパッドと有線又は無線によって電気的に接続されることで電子情報の送受信が可能なＰＣと、で構成され、前記コードレスマウスを前記マウスパッドに近接させて設置することで、該マウスパッドから前記コードレスマウスに対して電力が供給されるとともに、前記ＰＣと前記コードレスマウスとの間で電子情報の伝送が可能である構成とすることができる。このとき、前記コードレスマウスが情報を記憶することのできるストレージを備え、該ストレージが前記ＰＣから与えられる前記電子情報を格納できる構成としても構わない。
【００２６】
又、例えば、少なくとも１つの前記送電装置が内部に組み込まれたパワーサプライパッドと、少なくとも１つの前記受電装置を内部に備える電気スリッパと、前記パワーサプライパッドと有線又は無線によって電気的に接続されることで電子情報の送受信が可能なＰＣと、で構成され、前記電気スリッパを前記パワーサプライパッドに近接させて設置することで、該パワーサプライパッドから前記電気スリッパに対して電力が供給されるとともに、前記ＰＣと前記電気スリッパとの間で電子情報の伝送が可能である構成とすることができる。このとき、前記電気スリッパが、加熱されるヒータと、前記ヒータの加熱制御を行う加熱制御部と、前記ヒータの温度を測定する温度センサと、前記ＰＣから伝送される電子情報を格納するストレージとを備え、前記加熱制御部が、前記ストレージに格納される前記電子情報と前記温度センサが測定する前記ヒータの温度に基づいて前記ヒータの加熱制御を行う構成としても構わない。
【００２７】
又、例えば、少なくとも１つの前記送電装置が内部に組み込まれたナレーション端末と、少なくとも１つの前記受電装置を内部に備えるとともに前記ナレーション端末が設置される設置スポットと、前記設置スポットと有線又は無線によって電気的に接続されることで電子情報の送受信が可能なＰＣと、で構成され、前記ナレーション端末を前記設置スポットの所定の位置に設置することで、前記設置スポットから前記ナレーション端末に対して電力が供給されるとともに、前記ＰＣと前記ナレーション端末との間で電子情報の伝送が可能である構成とすることができる。このとき、前記ナレーション端末が、所定の情報を再生する再生回路と、前記ＰＣから送られる電子情報を格納するストレージとを備え、前記再生回路が、前記ストレージに格納される前記電子情報を読み出して再生する構成としても構わない。
【００２８】
又、例えば、少なくとも１つの前記送電装置が内部に組み込まれたクレードルと、少なくとも１つの前記受電装置を内部に備えるカラオケリモコンと、前記カラオケリモコンと有線又は無線によって電気的に接続されることで電子情報の送受信が可能なＰＣと、で構成され、前記カラオケリモコンを前記クレードルに近接させることで、前記クレードルから前記カラオケリモコンに対して電力が供給されるとともに、前記ＰＣと前記カラオケリモコンとの間で電子情報の伝送が可能である構成とすることができる。このとき、前記カラオケリモコンが、情報を読み出して表示する表示部と、前記ＰＣから伝送される電子情報を格納するストレージとを備え、前記ＰＣが、全てのカラオケ情報がデータベース構造で格納される情報サーバに対して電気通信回線を介して接続可能な構成であり、前記ＰＣが前記電気通信回線を介して前記情報サーバより取得した前記カラオケ情報が、前記ＰＣから前記カラオケリモコンに伝送されるとともに、当該伝送された前記カラオケ情報が前記ストレージに格納され、前記表示部が前記ストレージに格納された前記カラオケ情報を読み出して表示する構成としても構わない。
【００２９】
又、本発明の送電装置は、近接される前記受電装置に対して電力を供給することを特徴とする。更に、本発明の受電装置は、前記送電装置に近接させることで、前記送電装置から電力が供給されることを特徴とする。
【発明の効果】
【００３０】
本発明の電力供給システムによれば、本発明の送電装置を備える共用クレードル等の上に、本発明の受電装置を備えるＰＤＡ、携帯電話等の電子機器を載置することで電力が供給されるため、電子機器毎にＡＣアダプタを別途準備する必要がない。又、本発明の送電装置を備える共用クレードルは、ＰＣとデータ通信が可能な構成であるため、載置された電子機器がデータ通信可能な構成であれば、共用クレードル上に載置した状態のままで電子機器とＰＣとの間でデータの送受信を行うことができるため、利便性が向上する。更に、共用クレードルに限らず、ショーケースやマウスパッド等あらゆる物品に本発明の送電装置を内蔵することで、本発明の受電装置を内蔵する電子機器は当該物品から電力供給を受けることができるため、汎用性に優れている。
【００３１】
更に、共用クレードルが本発明の送電装置を複数備える構成であって、当該共用クレードル上に複数のＰＤＡ等の受電装置を備えた電子機器を載置することにより、同時に複数の電子機器に対して電力供給を行うことができ、省スペース化が実現できる。
【００３２】
又、本発明の送電装置は、載置される電子機器が備える受電装置との間で最適な電力供給が行えるエリアを発光ダイオードが発光することによって利用者に認識させることができるため、例えばショーケースのように電子機器の載置可能エリアが広い場合においても、当該発光ダイオードが発光するエリア内に電子機器を載置することで送電効率が高い状態を実現することができる。
【発明を実施するための最良の形態】
【００３３】
本発明の実施形態について、図面を参照して説明する。図１は、本実施形態における電力供給システムの概念図である。
【００３４】
図１に示す電力供給システム１は、ＰＤＡ３と、ＰＤＡ３に対して電力を供給する共用クレードル４と、共用クレードル４と有線又は無線で電気的に接続されて（ライン８）、データ通信が行える構成であるＰＣ２とで構成される。又、共用クレードル４は、コード６を備えるとともに、コード６の先端にＡＣプラグ７を備え、ＡＣプラグ７をＡＣコンセント差込口に差し込むことで、コード６を介して商用電源が供給される構成である。又、共用クレードル４はＬＥＤ表示部５を備えており、ＬＥＤ表示部５の表示色に応じて後述するような共用クレードル４の状態を利用者が視覚的に認識することが可能である構成となっている。
【００３５】
図１において、ＡＣプラグ７をＡＣコンセント差込口（不図示）に差し込むとともに、ＰＤＡ３を共用クレードル４上の所定の位置に載置すると、商用電圧がコード６を介して共用クレードル４に与えられる。又、後述するように、ＰＤＡ３及び共用クレードル４はそれぞれ内部にコイルを備えており、共用クレードル４に商用電圧が与えられると、共用クレードル４内のコイルとＰＤＡ３内のコイルとが磁気結合を発生することによって、ＰＤＡ内のコイルの両端に電圧が誘起され、この誘起電圧によってＰＤＡに対して電力が供給される仕組みである。尚、以下では電力供給側である共用クレードル４の内部回路を送電モジュール１０と呼称し、電力被供給側であるＰＤＡ３の内部回路を受電モジュール４０と呼称する。このとき、送電モジュール１０及び受電モジュール４０は、それぞれ前述のコイルを含む構成である。
【００３６】
尚、共用クレードル４がＰＣ２と無線によるデータ通信が行える構成である場合には、ＰＣ２が所定の信号を送信する送信部（例えば送信用アンテナ）を備えるとともに、共用クレードル４が送信部から送信された信号を受信する受信部（又は受信用アンテナ）を備える構成としても構わない。又、共用クレードル４がＰＣ２と有線によるデータ通信が行える構成である場合には、ＰＣ２及び共用クレードル４がケーブルを介して電気的に接続される構成としても構わない。
【００３７】
以下に図面を参照して共用クレードル４からＰＤＡ３に対して電力が供給される仕組みについて説明を行う。図２は、図１に示す共用クレードル４が備える送電モジュール１０と、ＰＤＡが備える受電モジュール４０の電気的構成を示すブロック図である。尚、図１と同一の構成要素には同一の符号を付して、その詳細な説明を省略する。
【００３８】
送電モジュール１０は、商用電圧が与えられるとともに、与えられた商用電圧を整流して直流電圧を出力する整流回路１３と、整流回路１３から出力される直流電圧を平滑化する平滑回路１４と、平滑回路１４から出力される平滑化された直流電圧が入力されるともに所定のスイッチングパルス電圧を発生して出力するスイッチング回路１５とを備える。
【００３９】
又、送電モジュール１０は、スイッチング回路１５から出力されるスイッチングパルスが入力されると所定の電圧に変圧して出力するトランス１６と、トランス１６から出力される交流電圧を整流して直流電圧を出力する整流回路１７と、整流回路１７から出力される直流電圧を平滑化する平滑回路１８とを備える。平滑回路１８から出力される電圧Ｖｃｃは、後述する送電モジュール１０が備える各回路の制御駆動用電源として利用される。
【００４０】
又、送電モジュール１０は、スイッチング回路１５から出力されるスイッチングパルス電圧が与えられるとともに、後述する受電モジュール４０が備える２次側コイル４１とトランスを構成する１次側コイル１９を備える。この１次側コイル１９は、スイッチング素子２１、スイッチング素子２２、スイッチング素子２３のいずれかのスイッチング素子を介してスイッチングパルス電圧が供給される構成であり、選択されたスイッチング素子によって２次側コイル４１とで形成されるトランス３０の変圧比が変化する構成である。又、送電モジュール１０は、電力切換回路２４を備え、この電力切換回路２４からの制御信号に基づいて、スイッチング素子２１、スイッチング素子２２、スイッチング素子２３のオンオフ切換が制御される。尚、１次側コイル１９と２次側コイル４１とで構成されるトランス３０の変圧比を決定するスイッチング素子の数は、図２ではスイッチング素子２１、スイッチング素子２２、スイッチング素子２３の３個で構成されるとしているが、この数は３に限られるものではない。
【００４１】
又、送電モジュール１０は、所定の信号に基づいて発光する発光ダイオード２５、発光ダイオード２６を備える。この内、発光ダイオード２５は直流電圧Ｖｃｃがスイッチング素子２９及び抵抗２７を介して与えられており、発光ダイオード２６は直流電圧Ｖｃｃがスイッチング素子３１及び抵抗２８を介して与えられる。又、送電モジュール１０は、ＬＥＤ表示回路３２を備え、このＬＥＤ表示回路３２からの信号に基づいてスイッチング素子２９及びスイッチング３１のオンオフ切換が制御される。
【００４２】
又、送電モジュール１０は、所定の搬送波を発生する搬送波発振回路３３、ＰＣ２からのデータ信号を変調するとともにＰＤＡ３から与えられる変調信号を復調する変復調回路３４、１次側コイルからの電圧に含まれる変調された信号を復調する復調回路３５、復調回路３５が復調した信号に含まれる情報に基づいて各判断処理を行う送電可否判定回路３６、電力量判定回路３７、満充電判定回路３８を備える。
【００４３】
更に、送電モジュール１０は変換部６４を備え、この変換部６４を介して共用クレードル４とＰＣ２との間で信号の送受信が行われる。変換部６４は、送電モジュール１０から与えられた信号を、ＰＣ２が読み取り可能な形式に変換して出力インターフェース（不図示）に送るとともに、この出力インターフェースからＰＣ２に変換された信号が与えられる。逆に、ＰＣ２から、ＰＣ２に備えられた出力インターフェース（不図示）を介して共用クレードル４（送電モジュール１０）に信号が与えられると、変換部６４に送られて共用クレードル４（送電モジュール１０）が読み取り可能な形式に変換して送電モジュール１０の後段回路に与えられる。
【００４４】
送電モジュール１０は、ＰＣ２から共用クレードル４に対してＰＣ２内のデータを送信する旨の指示を与える内容の信号をＰＣ２に送信するデータ送信指示信号発生部６２を備える。このデータ送信指示信号発生部６２は内部電源Ｖｃｃから直流電圧が供給される。データ送信指示信号発生部６２は、更に共用クレードル４に利用者が操作できる操作ボタン（不図示）が取り付けられており、この操作ボタンを利用者が操作することでデータ送信指示信号発生部６２に対してデータ送信指示信号を発生する旨の指示が送られる構成としても良い。このデータ送信指示信号発生部６２は、スイッチング素子６３を介して変換部６４に接続される。このスイッチング素子６３がオン状態である場合には、データ送信指示信号発生部６２から出力される信号が変換部６４に与えられ、スイッチング素子６３がオフ状態である場合には、データ送信指示信号発生部６２から出力される信号が変換部６４に与えられない構成である。このスイッチング素子６３は、トランジスタで構成されるものとしても構わないし、ＭＯＳＦＥＴ等の他のスイッチング素子としても構わない。以下ではスイッチング素子６３がＮＰＮ型のトランジスタで構成されるとして説明を行い、混同を生じない範囲で、スイッチング素子６３を以下ではトランジスタ６３と呼称する。
【００４５】
このトランジスタ６３は、そのベース端子にスイッチング制御部６１が接続されており、このスイッチング制御部６１からの制御信号に基づいてオンオフ制御される構成であり、このオンオフ制御が可能となるような所定の直流バイアス電圧が印加される構成としても構わない。このスイッチング制御部６１は、送電可否判定回路３６、電力量判定回路３７、満充電判定回路３８からの信号が与えられる構成である。この各回路の動作内容については後述する。
【００４６】
尚、電力切換回路２４、ＬＥＤ表示回路３２、搬送波発振回路３３、変復調回路３４、復調回路３５、送電可否判定回路３６、電力量判定回路３７、満充電判定回路３８、スイッチング制御部６１、データ送信指示信号発生部６２は送電モジュール１０を小型化する目的で同一のＩＣチップ上に構成されるものとしても構わない。このとき、更にＬＥＤ２５、ＬＥＤ２６、抵抗２７、抵抗２８、スイッチング素子２９、スイッチング素子３１、トランジスタ６３についても同一チップ上で構成するものとしても良い（送電制御ＩＣ２０）。
【００４７】
一方、受電モジュール４０は、１次側コイル１９とトランス３０を構成する２次側コイル４１と、２次側コイル４１の両端に誘起される電圧を平滑化する平滑用コンデンサ４２、平滑用コンデンサ４２で平滑化された電圧を整流する整流回路４３、整流回路４３から出力される直流電圧を平滑化する平滑回路４４を備える。又、平滑用コンデンサ４２から出力される電圧に所定の処理を施して重畳する信号の復調を行うとともにＰＤＡ３からのデータ信号に所定の処理を施して変調する変復調回路４５、平滑用コンデンサ４２から出力される電圧に所定の処理を施してクロック信号を抽出するクロック抽出信号回路４６、平滑用コンデンサ４２から出力される電圧に所定の処理を施して変調処理を施す変調回路４７、が平滑用コンデンサ４２と接続されており、平滑回路２２からの出力を受けて後述する受電制御ＩＣ５０に対して駆動指示を与えるパワーオンリセット回路４８と、平滑回路４４からの出力を受けて所定の電圧に変換する電圧クランプ回路４９、レギュレータ５１が平滑回路４４と接続されている。又、充電制御回路５２がレギュレータ５１と接続され、レギュレータ５１から出力された電圧が与えられる。充電制御回路５２は、レギュレータ５１から与えられた電圧を利用して充電対象である機器（ＰＤＡ３）の充電を行う。このようにして共用クレードル４からＰＤＡ３に対して電力供給が行われる。
【００４８】
又、変復調回路４５、クロック抽出回路４６、変調回路４７、パワーオンリセット回路４８、電圧クランプ回路４９、レギュレータ５１は、受電モジュール４０を小型化する目的で同一のＩＣチップ上に構成されるものとしても構わない（受電制御ＩＣ５０）。
【００４９】
図２において、外部から商用電源（ＡＣ１００Ｖ）が供給され、この供給されたＡＣ１００Ｖは、整流回路１３で全波整流された後、平滑回路１４で平滑されて直流電圧に変換される。そして、平滑回路１４から出力される直流電圧をスイッチング回路１５がスイッチングすることで発生するパルス電圧がスイッチング素子２１、スイッチング素子２２、スイッチング素子２３を介して１次側コイル１９に与えられる。このスイッチング素子２１、２２、２３は、図２に示すようにトランジスタで構成されるものとしても構わないし、ＭＯＳＦＥＴ等の他のスイッチング素子としても構わない。以下ではスイッチング素子２１、２２、２３がＮＰＮ型のトランジスタで構成されるとして説明を行い、混同を生じない範囲で、スイッチング素子２１、スイッチング素子２２、スイッチング素子２３を以下では、それぞれトランジスタ２１、トランジスタ２２、トランジスタ２３と呼称する。尚、このとき、トランジスタ２１、トランジスタ２２、トランジスタ２３が、スイッチング回路１５から出力されるスイッチングパルス電圧に対してオンオフ制御が可能となるよう、所定の直流バイアス電圧が印加されるものとしても構わない。更に、この直流バイアス電圧が前述の直流電圧Ｖｃｃから供給されるものとしても構わない。
【００５０】
前述のトランジスタ２１、トランジスタ２２、トランジスタ２３は、いずれもコレクタがスイッチング回路１５の出力端に接続されている。また、トランジスタ２１のエミッタは１次側コイル１９の一端に接続され、１次側コイル１９の他端はグランドに接続されている。また、１次側コイル１９はグランドに接続されたコイル端から遠い方から順に、即ち、巻数の多い方から順にタップａ，ｂ，ｃを有しており、トランジスタ２２のエミッタはタップａに接続され、トランジスタ２３のエミッタはタップｂに接続されている。また、タップｃは、送電モジュール１０の送電制御を行う送電制御ＩＣ２０の搬送波発振回路３３、変調回路３４、復調回路３５に接続されている。また、トランジスタ２１、トランジスタ２２、トランジスタ２３のベースは電力切替回路２４に接続されている。
【００５１】
スイッチング回路１５によりスイッチングされたパルス電圧は、電力切換回路２４によって制御されたトランジスタ２１、トランジスタ２２、トランジスタ２３の内の一つのトランジスタを介して１次側コイル１９の両端に印加される。１次側コイル１９は、２次側コイル４１とトランス３０を構成しており、磁気結合によって２次側コイル４１の両端に誘起電圧が発生する。このときに発生する電圧の大きさは、１次側コイル１９と２次側コイル４１の変圧比の影響を受ける。上述のように電力切換回路２４がトランジスタ２１、トランジスタ２２、トランジスタ２３のいずれのトランジスタをオン状態にするかによって１次側コイル１９の巻数が変化するため、この変圧比を変化させることができる。
【００５２】
また、スイッチング回路１５によりスイッチングされたパルス電圧はトランス１６にも与えられ、トランス１６によって所定の電圧に変換された後、整流回路１７と平滑回路１８とで整流、平滑化されることで生成される直流電圧が、送電制御ＩＣ用の内部電源Ｖｃｃとして各回路に与えられる。
【００５３】
この内部電源Ｖｃｃは、スイッチング素子２９、過電流抑制用の抵抗２７を介して発光ダイオード２５に与えられるとともに、スイッチング素子３１、過電流抑制用の抵抗２８を介して発光ダイオード２６に与えられる。スイッチング素子２９、スイッチング素子３１はＬＥＤ表示回路３２からの信号に基づいてオンオフ制御がなされており、スイッチング素子２９がオン状態の時には発光ダイオード２５が発光し、スイッチング素子３１がオン状態の時には発光ダイオード２６が発光する。尚、この発光ダイオード２５及び発光ダイオード２６は、ＬＥＤ表示回路３２からの信号に基づいて点灯制御回路（不図示）によって発光色が制御されるものとし、発光ダイオード２５は点灯制御回路の制御によって赤、黄、緑、紫、橙のいずれかの色に発光する機能を備え、発光ダイオード２６は点灯制御回路の制御によって赤、緑のいずれかの色に発光する機能を備えるものとする。
【００５４】
又、スイッチング素子２９及びスイッチング素子３１はトランジスタで構成されるものとしても構わないし、ＭＯＳＦＥＴ等の他のスイッチング素子としても構わない。以下ではスイッチング素子２９、３１がＮＰＮ型のトランジスタで構成されるとして説明を行い、混同を生じない範囲で、スイッチング素子２９、スイッチング素子３１を以下では、それぞれトランジスタ２９、トランジスタ３１と呼称する。このとき、直流電圧Ｖｃｃは、トランジスタ２９及びトランジスタ３１のコレクタ端子に与えられるとともに、トランジスタ２９のエミッタ端子には抵抗２７を介して発光ダイオード２５が接続され、トランジスタ３１のエミッタ端子には抵抗２８を介して発光ダイオード２６が接続される。又、ＬＥＤ表示回路３２からの制御信号が、それぞれトランジスタ２９及びトランジスタ３１のベースに入力される構成である。
【００５５】
尚、外部から商用電源が供給されたとき、上述のように内部電源Ｖｃｃが生成され、ＬＥＤ表示回路３２がトランジスタ２９をオン状態に制御を行って、発光ダイオード２５が発光するように構成しても構わない。このようにすることで、共用クレードル４に対して商用電源が供給されたことを視覚的に確認することができる。
【００５６】
搬送波発振回路３３は、所定の搬送波を一定間隔で出力する回路であり、この出力信号が１次側コイル１９に与えられる。上述のように、搬送波発振回路３３の出力側端子は、１次側コイル１９のタップｃと接続されているため、搬送波発振回路３３から出力される搬送波電圧が、１次側コイル１９のタップｃとグランドの両端に印加される構成である。このとき、１次側コイル１９と２次側コイル４１との間で磁気結合が発生して、巻数比に応じた電圧が２次側コイル４１の両端に誘起される。
【００５７】
搬送波発振回路３３からの信号によって２次側コイル４１の両端に誘起された電圧は、平滑用コンデンサ４２、整流回路４３、平滑回路４４を介して整流化、平滑化が施された後、直流電圧に変換される。この直流電圧がパワーオンリセット回路４８に与えられると、受電モジュール４０（受電制御ＩＣ５０）が搬送波発振回路３３から搬送波が送られたことを認識する。そして２次側コイル４１に接続されたクロック抽出回路４６が、その搬送波から変調に必要となるクロック信号を抽出し、変調回路４７がクロック抽出回路４６から与えられるクロック信号を用いて、ＰＤＡ３の情報である「受電可能機器であることを示すコード」、「消費電力の情報」、「満充電の情報」に基づいて搬送波の変調を行い、この変調によって生成された変調波を２次側コイル４１に与える。この「受電可能機器であることを示すコード」は後述するように送電モジュール１０の送電可否判定回路３６によって共用クレードル４上に載置された機器（ＰＤＡ３）が、共用クレードル４によって電力供給可能な機器であるかどうか（内部に受電モジュール４０を備える機器であるかどうか）を判定する際に利用される。尚、以下では共用クレードル４によって電力供給が可能である機器（共用クレードル４の対象機器）を「受電可能機器」と呼称する。
又、「消費電力の情報」は、後述するように送電モジュール１０の電力量判定回路３７によって、共用クレードル４上に載置された機器（ＰＤＡ３）に対して供給すべき電力量を判定するとともに、その信号を電力切換回路２４に与えてトランス３０の巻数比を変化させる指示を行うのに利用される。更に、「満充電の情報」は、後述するように満充電判定回路３８によって対象機器（ＰＤＡ３）に対して行われた充電が完了したかどうかを判定するのに用いられる。
【００５８】
尚、上記の変調の際に利用される変調方式は、搬送波を周期的に強度変調し、信号の位相変化情報で０／１情報を表現する位相変調方式を利用するものとしても良い。このように、送電モジュール１０から伝送された搬送波から変調に必要なクロック信号を抽出するので、受電機器であるＰＤＡ３内に発振回路を備える必要がなく、更にクロック抽出回路４６、変調回路４７の駆動用電源として搬送波発振回路３３から与えられる搬送波から生成される直流電圧を利用することができるので、受電モジュール４０内に駆動用電源が不要であり、回路構成を簡素化することができる。
【００５９】
以下、送電モジュール１０から受電モジュール４０に電力が供給されてＰＤＡ３に充電が行われる動作の流れについて図面を参照して説明する。図３は、送電モジュール１０と受電モジュール４０との間で行われる電力供給動作の流れを示すフローチャートである。
【００６０】
送電モジュール１０は、商用電圧が供給されたときに動作を開始する。まず商用電圧が入力されると、上述したようにスイッチング回路１５から出力されるスイッチングパルスがトランス１６で変圧され、整流回路１７及び平滑回路１８で整流平滑化されて直流電圧Ｖｃｃが生成される。この直流電圧Ｖｃｃは送電制御ＩＣ２０の内部用電源として利用されるので、送電制御ＩＣ２０を構成する各回路に電源が供給される。
【００６１】
まずＬＥＤ表示回路３２がトランジスタ２９に対してトランジスタ２９をオン状態にする制御信号を与える。トランジスタ２９のコレクタ端子には直流電圧Ｖｃｃが供給されており、トランジスタ２９を介して発光ダイオード２５に電流が供給されて発光ダイオード２５が点灯する。このとき、ＬＥＤ表示回路３２は点灯制御回路（不図示）に所定の制御信号を与えることによって、発光ダイオード２５の発光色を赤色に指定するものとする。一方、トランジスタ３１はオフ状態にする旨の制御を行い、これによって発光ダイオード２６は消灯状態となる（ＳＴＥＰ１）。
【００６２】
次に直流電圧Ｖｃｃが供給されることで、搬送波発振回路３３が所定の搬送波を一定間隔で出力し（ＳＴＥＰ２）、この搬送波を利用して共用クレードル４上に、当該共用クレードル４によって受電可能機器が載置されているかどうかの判断を行う（ＳＴＥＰ３）。この受電可能機器が共用クレードル４上に載置されているかどうかを判断する方法を以下に説明する。
【００６３】
搬送波発振回路３３から出力された搬送波は１次側コイル１９のタップｃに与えられ、共用クレードル４の上にＰＤＡ３が載置されている場合は、磁気結合された２次側コイル４１に伝送される。この２次側コイル４１に伝送された搬送波は上述のように平滑用コンデンサ４２、整流回路４３、平滑回路４４を介して整流化、平滑化されて直流電圧に変換される。そして、この搬送波が変換された直流電圧をパワーオンリセット回路４８で検出して、搬送波が伝送されてきたことを認識する。そして、２次側コイル４１に接続されたクロック抽出回路４６は、その搬送波から変調に必要となるクロック信号を抽出し、変調回路４７は、ＰＤＡ３の情報である「受電可能機器であることを示すコード」、「消費電力の情報」、「満充電の情報」に基づいて搬送波を変調した変調波を２次側コイル４１に与える。尚、共用クレードル４によって電力供給可能である機器には、予め「受電可能機器であることを示すコード」、「消費電力の情報」、「満充電の情報」が記憶されているメモリが備えられており、このメモリからこれらの情報が受電制御ＩＣ５０に与えられる構成としても構わない。
【００６４】
変調回路４７から２次側コイル４１に与えられた変調波は、磁気結合された１次側コイル１９に伝送される。そして、１次側コイル１９のタップｃに接続された復調回路３５は、伝送された変調波を受信して復調し、復調された情報信号に含まれる「受電可能機器であることを示すコード」、「消費電力の情報」、「満充電の情報」を送電可否判定回路３６、電力量判定回路３７、満充電判定回路３８に与える。ここで、送電可否判定回路３６は、「受電可能機器であることを示すコード」に基づいて、受電機器が送電装置１の上に載置されているかどうかを判断する（ＳＴＥＰ３）。所定の「受電可能機器であることを示すコード」が受信できていれば（ＳＴＥＰ３でＹｅｓ）、受電可能機器が共用モジュール４の上に載置されていると認識し、次に、受電可能機器（対象機器）が共用クレードル４の上に正しく載置されているかどうかを判断する（ＳＴＥＰ４）。一方、所定の「受電可能機器であることを示すコード」が受信できていなければ（ＳＴＥＰ３でＮｏ）、受電可能機器が共用クレードル４の上に載置されていないと判断して再び搬送波を出力する（ＳＴＥＰ２）。
【００６５】
次に、受電可能機器が共用クレードル４の上に正しく載置されているかどうかの判断について説明する。受電可能機器が共用クレードル４の上に正しく載置されているかどうかの判断を行うことによって、送電モジュール１０内の１次側コイル１９と受電モジュール４０内の２次側コイル４１とが電力の伝達効率が高い位置に配置されているかどうかを判断し、この判断ステップを設けることによって、電力の伝達効率が著しく悪い位置に載置されている場合には送電を行わない選択が可能となる。
【００６６】
図４は、共用クレードル４とＰＤＡ３との相対位置と、電力及び情報信号の伝達効率との関係を示した図である。ここで、情報信号とは、送電モジュール１０から送信した搬送波に対して受電モジュール４０から返送される、上述した変調波のことである。図４において、（ａ）は電力（実線）及び情報信号（破線）の伝達効率の絶対値を示し、（ｂ）は電力（実線）と情報信号（破線）の伝達効率の相対値を示す。（ａ）、（ｂ）とも、横軸は共用クレードル４とＰＤＡ３との位置のずれ量を示しており、共用クレードル４の１次側コイル１９とＰＤＡ３の２次側コイル４１の磁気結合が最も高い結合度になる位置に共用クレードル４とＰＤＡ３とが位置している場合を０とし、その位置からＰＤＡ３が左右方向、或いは、前後方向にずれた量をｍｍ単位で示している。
【００６７】
図４（ａ）に示すように、共用クレードル４とＰＤＡ３との位置のずれ量が大きくなるほど、電力の伝達効率と情報信号の伝達効率はともに悪くなる。この電力の伝達効率と情報信号の伝達効率は、図４（ｂ）に示すように、共用クレードル４とＰＤＡ３との位置のずれ量に対して同じ割合で減少するので、共用クレードル４が電力を送電していない状態のときであっても、情報信号の信号強度を測定することにより、共用クレードル４とＰＤＡ３との位置のずれ量を認識することができる。
【００６８】
そして、共用クレードル４とＰＤＡ３との位置のずれ量が大きくなるほど電力の伝達効率は悪くなるので、電力の伝達効率が著しく低い場合は、共用クレードル４から送電を行ってもＰＤＡ３は受電できないということになり、送電を行う意味がなくなるので、共用クレードル４とＰＤＡ３との位置のずれ量が所定のずれ量を超えたかどうかを判定し（ＳＴＥＰ４）、超えている場合は（ＳＴＥＰ４においてＮｏ）、送電装置１からの送電は行わないこととし、警告表示として発光ダイオード２５を橙色に点灯させるとともに、発光ダイオード２６を消灯状態にする（ＳＴＥＰ５）。又、このとき、警告音を発生させるようにしても良い。
【００６９】
一方、共用クレードル４とＰＤＡ３との位置のずれ量が所定のずれ量を超えていない場合は（ＳＴＥＰ４においてＹｅｓ）、送電する電力量を判定する処理に移行する（ＳＴＥＰ６）。この判定処理は、復調回路３５で復調される情報信号に含まれる「消費電力の情報」に基づいて電力量判定回路３７で行われ、「消費電力の情報」に基づいてＰＤＡ３の電力を認識し、その電力に応じて送電出力を大、中、小の３段階に調整する。電力量判定回路３７からの判定結果はＬＥＤ表示回路３２と電力切替回路２４に伝えられ、大、中、小の判定結果に応じて、以下のような処理が行われる。
【００７０】
まず、判定結果が小の場合（ＳＴＥＰ６において小）、ＬＥＤ表示回路３２は発光ダイオード２５を黄色に点灯させ、発光ダイオード２６を赤色で点滅させる（ＳＴＥＰ７）。送電出力の大きさに応じて発光ダイオード２７及び発光ダイオード２８の発光色の組み合わせを変化させることによって、共用クレードルが現時点で行っている送電出力の大きさを利用者が視覚的に認識することができる。又、電力切替回路２４はトランジスタ２１をオン状態に制御する。トランジスタ２１がオン状態になると、スイッチング回路１５からのパルス電圧が１次側コイル１９の巻線全体に印加され、送電が開始される（ＳＴＥＰ８）。
【００７１】
次に、判定結果が中の場合（ＳＴＥＰ６において中）、ＬＥＤ表示回路３２は、中電力送電を行うという意味で、発光ダイオード２５を緑色に点灯させ、発光ダイオード２６を赤色で点滅させる（ＳＴＥＰ９）。また、電力切替回路２４はトランジスタ２２をオン状態に制御する。トランジスタ２２がオン状態になると、スイッチング回路１５からのパルス電圧が１次側コイル１９のタップａに印加され、送電が開始される（ＳＴＥＰ１０）。
【００７２】
又、判定結果が大の場合（ＳＴＥＰ６において大）、ＬＥＤ表示回路３２は、大電力送電を行うという意味で、発光ダイオード２５を紫色に点灯させ、発光ダイオード２６を赤色で点滅させる（ＳＴＥＰ１１）。又、電力切替回路２４はトランジスタ２３をオン状態に制御する。トランジスタ２３がオン状態になると、スイッチング回路１５からのパルス電圧が１次側コイル１９のタップｂに印加され、送電が開始される（ＳＴＥＰ１２）。
【００７３】
トランジスタ２１、トランジスタ２２、トランジスタ２３を切り替えることにより、スイッチング回路からのパルス電圧が印加される位置が１次側コイル１９の巻線上で変化する。即ち、実際に有効となる１次側コイル１９の巻数が変化するので、１次側コイル１９と２次側コイル４１の巻数比が変化する。このようにして、対象機器の電力に応じた電力を送電することを可能としている。尚、本実施例は、大、中、小の３段階に切り替えているが、切り換え数を更に増やしても良い。
【００７４】
送電が開始された後も、定期的に搬送波を送信し（ＳＴＥＰ１３）、その搬送波に対して返送される変調波に含まれる情報に基づいて、まずＰＤＡ３が共用クレードル４の上から取り除かれていないかどうかを確認する（ＳＴＥＰ１４）。この確認は、ＳＴＥＰ３と同様に、送電可否判定回路３６が「受電可能機器であることを示すコード」に基づいて、受電可能機器が共用クレードル４の上に載置されているかどうかを判断する。そして、所定の「受電可能機器であることを示すコード」が受信できていなければ（ＳＴＥＰ１４においてＮｏ）、受電可能機器が共用クレードル４の上から取り除かれたと判断し、電力切替回路２４がトランジスタ２１、トランジスタ２２、トランジスタ２３の全てのトランジスタをオフ状態に制御して電力出力を停止する（ＳＴＥＰ１５）。
【００７５】
一方、所定の「受電可能機器であることを示すコード」が受信できていれば（ＳＴＥＰ１４においてＹｅｓ）、受電可能機器が共用クレードル４の上に載置されていると認識し、次に、受電可能機器が共用クレードル４の上に正しく載置されているかどうかを判断する（ＳＴＥＰ１６）。この判断は、ＳＴＥＰ４と同様に、共用クレードル４とＰＤＡ３との位置のずれ量が所定のずれ量を超えたかどうかの判定により行われる。そして、このずれ量が所定のずれ量を超えている場合は（ＳＴＥＰ１６においてＮｏ）、共用クレードル４からの送電は行わないこととし、ＳＴＥＰ５と同様に警告表示として発光ダイオード２５を橙色に点灯させ、発光ダイオード２６を消灯させる（ＳＴＥＰ１７）。又、このとき警告音を発生させるようにしても良い。
【００７６】
一方、共用クレードル４とＰＤＡ３との位置のずれ量が所定のずれ量を超えていない場合は、次に、ＰＤＡ３の充電状態が満充電状態であるかどうかを判定する処理に移行する（ＳＴＥＰ１８）。この判定処理は、満充電判定回路３８が、復調回路３５で復調される情報信号に含まれる「満充電の情報」に基づいて、ＰＤＡ３が満充電の状態かどうかを判定して行われる。そして、満充電である場合は（ＳＴＥＰ１８においてＹｅｓ）、電力切替回路２４がトランジスタ２１、トランジスタ２２、トランジスタ２３の全てのトランジスタをオフ状態に制御して電力出力を停止し（ＳＴＥＰ１９）、受電機器が満充電状態のために送電を停止しているという意味で、発光ダイオード２５を赤色で点灯、発光ダイオード２６を緑色で点灯させ（ＳＴＥＰ２０）、搬送波を出力して受電機器の状態の確認を継続する（ＳＴＥＰ１３）。一方、満充電でない場合は（ＳＴＥＰ１８においてＮｏ）、送電を行いながら受電機器の状態の確認を継続する（ＳＴＥＰ１３）。以上のようにして、共用クレードル４からＰＤＡ３への電力供給が行われる。
【００７７】
又、上述において、発光ダイオード２５及び発光ダイオード２６の発光色と点灯状態（消灯、点灯、点滅）によって、共用クレードル４の動作状態等（送電電力の有無、送電している電力量、満充電か否か等）を表示する旨の記載を行ったが、この発光ダイオード２５及び発光ダイオード２６の表示動作について、図５を参照して以下に説明する。図５は、共用クレードル４の動作状態別の発光ダイオード２５及び発光ダイオード２６の表示状態を示した図である。まず、ＡＣプラグ７が商用電源に接続されていない時、「発光ダイオード２５：消灯、発光ダイオード２６：消灯」になっているものとする。そして、ＡＣプラグ７が商用電源に対して接続されると、「発光ダイオード２５：赤点灯、発光ダイオード２６：消灯」となる。また、受電機器の情報に基づき、共用クレードル４が受電機器に対して送電を行っている送電電力量に応じて、それぞれ、大電力の場合は「発光ダイオード２５：紫点灯、発光ダイオード２６：赤点滅」、中電力の場合は「発光ダイオード２５：緑点灯、発光ダイオード２６：赤点滅」、小電力の場合は「発光ダイオード２５：黄点灯、発光ダイオード２６：赤点滅」となる。又、受電機器が充電中の場合は発光ダイオード２６が赤点滅状態であり、受電機器が満充電状態であれば発光ダイオード２６が緑点灯状態である。そして、共用クレードル４の上に受電可能機器が置かれており、位置ずれが一定以上有る場合は発光ダイオード２５を橙点灯状態とするとともに警告音を発する様にすることが可能である。これにより、利用者が共用クレードル４の動作状態を視覚で判断することが可能となる。尚、発光ダイオードの設置場所、色、点灯、点滅、消灯等の組合せについては、上述したものは一例であってこれに限定されるものでは無い。
【００７８】
次に、共用クレードル４上に載置されたＰＤＡ３とＰＣ２との間でデータの送受信を行う動作内容について、図面を参照して以下に説明する。図６は、共用クレードル４とＰＣ２との間でデータの送受信を行う動作内容を示すフローチャートである。
【００７９】
上述のように、共用クレードル４はＰＣ２と無線又は有線でデータの送受信が可能な構成である。無線接続によるデータ送受信機能が備えられている場合には、共用クレードル４及びＰＣ２の双方にデータ信号が重畳した一定の電波信号が送受信可能であるアンテナが備えられる構成としても構わない。又、有線によるデータ送受信機能が備えられている場合には、共用クレードル４及びＰＣ２を同一のケーブルで接続できるような接続インターフェースを双方が備える構成としても構わない。以下では共用クレードル４及びＰＣ２が有線または無線によって双方向のデータ送受信が可能である構成として説明を行う。
【００８０】
送電可否判定回路３６にて共用クレードル４上に受電対象機器が正しい位置に置かれていることが確認された後（図３に示すＳＴＥＰ４）、データ送受信が可能な機器が載置されているかどうかの確認を行う（ＳＴＥＰ２１）。このデータ送受信が可能かどうかという判定は、受電モジュール４０から送られてくる「受電可能機器であることを示すコード」が示す情報に、データ送受信が可能かどうかという情報が含まれているものとして、図３に示すＳＴＥＰ３における受電可能機器判定の際に同時に判別するものとしても構わない。又、送電制御ＩＣ２０内にデータ送受信可能判定回路（不図示）が設けられるとともに、ＰＤＡ３には予めデータ送受信可能であることを示すコードが付されており、変調回路４７が出力する変調波にこの「データ送受信可能であることを示すコード」を更に重畳させて送電制御ＩＣ２０側に伝送し、復調回路３５が送られてきた変調波からこの「データ送受信可能であることを示すコード」を復調してデータ送受信可能判定回路に与え、データ送受信可能判定回路がこの与えられた信号に基づいて判定を行う構成としても構わない。
【００８１】
このとき、共用クレードル４上に載置された機器がデータ送受信可能である場合には（ＳＴＥＰ２１でＹｅｓ）、送電可否判定回路３６又はデータ送受信可能判定回路（不図示）からスイッチング制御部６１に「データ送受信可能」である旨の信号が与えられる。一方、共用クレードル４上に載置された機器がデータ送受信不可能である場合には（ＳＴＥＰ２１でＮｏ）、スイッチング制御部６１に対して制御信号が与えられず、データ送受信可能である機器が載置されるまで後段のステップに進まない。
【００８２】
データ送受信可能である内容の信号がスイッチング制御部６１に与えられた後、ＰＤＡ３がデータ送受信を行う際に必要な所定の容量（以下、「最小限容量」と呼称する）を上回る充電容量を備えているかどうかの判定を行う（ＳＴＥＰ２２）。この最小限容量は、ＰＣ２から送られる対象であるデータの容量情報からＰＤＡ３に対して実際に当該データを送信する際に必要な電力量を算出するとともに、この必要電力量とその時点における充電された電力量との比較を行うのに必要な容量であるとしても良い。このとき、満充電判定回路３８が、ＰＤＡ３の充電状況が満充電状態か否かという２値情報ではなく、満充電状態と比較した時の保持電力量の割合を認識できる構造としても構わないし、更には実際の充電電力量を情報として認識できる構造としても構わない。この場合は、変調回路４７から送られる変調波に「現時点の充電電力量を示す情報」が重畳しているものとしても良い。
【００８３】
ＰＤＡ３の充電容量が「最小限容量」を上回っている場合は（ＳＴＥＰ２２でＹｅｓ）、ＰＣ２からのデータ送信可否判定を行うことが可能である旨の信号がスイッチング制御部６１に与えられる。一方、ＰＤＡ３の充電容量が「最小限容量」を下回っている場合は（ＳＴＥＰ２２でＮｏ）、ＰＣ２からのデータ送信可否判定を行うことが不可能であるため、一定時間待機した後、再び充電状態の確認を行う。
【００８４】
スイッチング制御部６１は、データ送信可否判定が可能である内容の信号を受信すると、トランジスタ６３をオン状態に制御する（ＳＴＥＰ２３）。この状態でデータ送信指示信号発生部６２から信号がトランジスタ６３に与えられると、データ送信指示信号発生部６２からの信号がトランジスタ６３を介して変換部６４に送られる。このとき、上述したように共用クレードル４には利用者が操作できる操作ボタン（不図示）が取り付けられており、この操作ボタンを利用者が操作することでデータ送信指示信号発生部６２に対してデータ送信指示信号を発生する旨の指示が送られる構成としても良い。
【００８５】
変換部６４は、与えられた送信指示信号をＰＣ２が読み取り可能な形式に変換するとともに、この変換後の信号をＰＣ２に送信する（ＳＴＥＰ２４）。ＰＣ２は当該信号を受信すると、共用クレードル４上にデータ送受信可能機器が載置されるとともに、データ送受信準備が完了していることを認識する。そして、ＰＤＡ３に対して送信したいデータを選択するとともに、このデータの容量情報等を変換部６４に送信する。尚、ＰＣ２からＰＤＡ３に対して送信したいデータは利用者が選択できる構成として良い。
【００８６】
変換部６４はＰＣ２から送られてきたデータ容量情報を受信すると（ＳＴＥＰ２５）、この情報信号を変復調回路３４に与えてＰＤＡ３に対して送信するために搬送波発振回路３３から与えられる搬送波を用いて所定の変調処理を行う。このとき、変復調回路３４内にはクロック抽出回路が備えられており、搬送波発振回路３３から入力される搬送波を利用して変調処理に利用されるクロック信号を生成するとともに、この生成されたクロック信号を用いて変調処理が行われるものとしても構わない。又、搬送波発振回路３３とは異なる搬送波を出力する第２搬送波発振回路（不図示）が備えられるとともに、この第２搬送波発振回路から出力される搬送波から生成されるクロック信号を用いて変調処理を行うものとしても構わない。このように変調処理が行われたデータ容量情報信号は、１次側コイル１９の端子ｃに入力され、トランス３０を介して受電制御ＩＣ５０の変復調回路４５に伝送される。
【００８７】
変復調回路４５は、送られてきた変調信号に所定の処理を施してデータ容量情報を抽出する（ＳＴＥＰ２６）。このデータ容量情報信号は、ＰＤＡ３のＣＰＵに送られて、当該データ容量を備えたデータを送信するのに必要な電力量の算出を行うとともに、現時点におけるＰＤＡ３の充電された容量との比較を行う（ＳＴＥＰ２７）。そして、データ送信に必要な電力量を上回る充電容量をＰＤＡ３が備えている場合（ＳＴＥＰ２７でＹｅｓ）、データ受信準備完了を示す内容の情報信号を変復調回路４５に与える。又、データ送信に必要な電力量を上回る充電容量を備えていない場合は（ＳＴＥＰ２７でＮｏ）、一定時間待機した後、再度充電状態を確認するステップ（ＳＴＥＰ２７）に戻る。このとき、共用クレードル４上に文字等を表示するための表示部が備えられており、待機中である旨がこの表示部に表示される構成としても構わない。又、充電容量が必要な電力量を備えていない場合において（ＳＴＥＰ２７でＮｏ）、必要な電力量が充電されるまで待機するか、データ送信を中止するかを利用者が選択できる構成としても構わない。このとき、前記表示部に加えて利用者が当該選択を行うための操作ボタンが備えられ、当該操作ボタンを利用者が操作することで、前述の選択を行う構成としても構わない。
【００８８】
変復調回路４５は、与えられた情報信号に所定の変調処理を施して２次側コイル４１に出力し、この出力された信号がトランス３０を介して変復調回路３４に与えられる。変復調回路３４は、与えられた変調信号を復調してＰＤＡ３のデータ受信準備が完了した旨の内容を確認すると、変換部６４に対してＰＣ２に対象データを送信する旨の指示を与える信号を送る（ＳＴＥＰ２８）。変換部６４は、与えられた信号をＰＣ２が確認できる形式に変換するとともに、この変換した信号をＰＣ２に与える。
【００８９】
ＰＣ２は、変換部６４からのデータ送信指示を示す信号が与えられると、対象となるデータを変換部６４に伝送する。変換部６４は、与えられたデータを変復調回路３４に送り、変復調回路３４が所定の変調処理を施して１次側コイル１９に与え、トランス３０を介してこの変調されたデータ信号が受電制御ＩＣ５０内の変復調回路４５に伝送される（ＳＴＥＰ２９）。変復調回路４５は、与えられた変調信号を復調してデータ信号を取得し（ＳＴＥＰ３０）、この取得されたデータ信号をＰＤＡ３のメモリに出力する（ＳＴＥＰ３１）。このとき、メモリにはＰＣ２から与えられるデータを格納する領域が設けられているものとしても構わないし、同一データが存在する場合であって送られてきたデータの方が更新日時が新しい場合には上書きされる構成としても構わない。
【００９０】
このように構成することで、共用クレードル４は、受電機器の電力に応じて必要な送電電力を大電力、中電力、小電力の３段階に切り替えて送電することができるので、１つの共用クレードルで異なる種類の受電機器に電力を供給することができる。更に、共用クレードル４上に載置される機器がＰＤＡ３のようにＰＣ２とデータ送受信可能な電子機器である場合には、共用クレードル４からの電力供給と並行してＰＣ２からデータの送信を受けることができる。又、満充電状態においても、充電された電力を利用してＰＣ２からのデータ転送を行うことができるとともに、搬送波が所定の間隔で出力することより、消費した電力についてはその都度共用クレードル４から供給を受けることができる。
【００９１】
尚、上述ではＰＣ２からＰＤＡ３に対してデータが送信される構成としたが、ＰＤＡ３からＰＣ２に対してデータの送信が行える構成とすることも可能である。
【００９２】
この場合、データ送信指示信号発生部６２から変換部６４に与えられる信号に、データ送信方向の情報（ＰＤＡ３からＰＣ２に対するデータ送信である旨の情報）を重畳させるとともに、この信号が変換部６４からＰＣ２に与えられる。ＰＣ２は、データ受信準備が整っていることを確認した後、データ送信指示信号を変換部６４に返送し、この信号が変復調回路３４に送られて所定の変調処理が施された後、トランス３０を介して受電制御ＩＣ５０の変復調回路４５に送られる。変復調回路４５は、与えられた信号から所定の復調処理を行ってＰＣ２からのデータ送信指示依頼を認識し、ＰＤＡ３に対して送信対象となるデータの選択の指示を行う。ＰＤＡ３で選択された対象データは、ＰＤＡ３のＣＰＵにおいてそのデータ容量と現時点の充電容量からデータ送信が可能かどうかの判定が行われ、データ送信が可能である場合には、当該対象データが変復調回路４５に与えられて所定の変調処理が施され、２次側コイル４１に送られる。２次側コイル４１に送られたデータはトランス３０を介して変復調回路３４に送られて復調処理が施された後、変換部６４を介してＰＣ２に送信される。
【００９３】
又、必要な電力量を上回る充電容量を保持していない場合は、充電容量が必要な電力量に到達するまで待機して、当該容量に到達した段階でデータの送信を行うものとしても良い。この場合、待機中である旨の信号を送電モジュール１０及びＰＣ２側に送信するものとしても構わないし、送信指示を再度求める旨の信号を送信するものとしても構わない。この場合、変復調回路３４に接続されるとともに、待機中であるかどうかを判定する待機中判定回路（不図示）が送電モジュール１０に備えられており、この待機中判定回路とＬＥＤ表示回路３２とが接続されており、さらにＬＥＤ表示回路からの信号によって制御される発光ダイオードが別途設けられている構成とすることで、待機中である場合に当該発光ダイオードが発光することで視覚的に認識できる構成としても構わない。
【００９４】
更に、上述ではトランス３０を形成するコイルを１次側コイル１９と２次側コイル４１の１組のコイルで構成されるものとしたが、複数組のコイルで構成されるとともに、送電効率が最も高いコイルの組み合わせを選択して送電及び信号の伝送を行うものとしても構わない。以下に、このような場合における動作について図面を参照して説明を行う。図７は、送電モジュール及び受電モジュールの一部の構成を示すブロック図である。尚、図２に示す送電モジュール１０及び受電モジュール４０と同一の部分については、煩雑さを回避するために図示を省略している。
【００９５】
図７に示す送電モジュール１０ａは、図２に示す送電モジュール１０と比較して、１次側コイル１９の代わりに、複数のコイルが並列に設置される１次側コイル群１９ｘを備える。又、送電モジュール１０ａは、この１次側コイル群１９ｘに備えられるコイルから１つのコイルを選択するコイル切換回路７２と、コイル切換回路７２に対して制御信号を与えて選択するコイルの指示を与える切換制御部７３を備える。
【００９６】
又、図７に示す受電モジュール４０ａは、図２に示す受電モジュール４０と比較して、２次側コイル４１の代わりに、複数のコイルが並列に設置される２次側コイル群４１ｘを備える。又、受電モジュール４１ａは、この２次側コイル群４１ｘに備えられるコイルから１つのコイルを選択するコイル切換回路８２と、このコイル切換回路８２に対して制御信号を与えて選択するコイルの指示を与える切換制御部８３を備える。更に、受電モジュール４０ａは、コイル切換回路８２によって選択される２次側コイル群４１ｘのコイル両端に発生する電圧を測定する電圧測定部８４を備えるとともに、この電圧測定部８４が測定した測定値を記憶するメモリ８５を有する。切換制御部８３は、メモリ８５に記憶された電圧測定部８４における測定値に基づいてコイル切換回路８２に対して選択するコイルの指示を与える。
【００９７】
更に、送電モジュール１０ａ、受電モジュール４０ａは、それぞれコイル切換の制御信号を伝送するための信号伝送用１次側コイル７１、信号伝送用２次側コイル８１を備え、これらのコイルがトランス７０を構成している。切換制御部８３からの信号が信号伝送用２次側コイル８１に与えられるとともに、トランス７０を介して送電モジュール１０ａ内の切換制御部７２に与えられ、切換制御部７３はこの信号に基づいて、コイル切換回路７２に対して与える制御信号の内容を変化させる。
【００９８】
尚、コイル切換回路７２によって選択された１次側コイル群１９ｘ内のコイル及びコイル切換回路８２によって選択された２次側コイル群４１ｘ内のコイルは、それぞれ図２に示す１次側コイル１９及び２次側コイル４１と同一の接続関係を維持するものとする。又、コイル切換回路７２は１次側コイル１９ｘ内に設置された複数のコイルからいずれか一つのコイルを選択して切り換えるスイッチで構成されるものとしても構わないし、コイル切換回路８２は２次側コイル４１ｘ内に設置された複数のコイルからいずれか一つのコイルを選択して切り換えるスイッチで構成されるものとしても構わない。このとき、コイル切換回路７２及びコイル切換回路８２によって、１次側コイル群１９ｘ内のいずれか一つのコイルと、２次側コイル群４１ｘ内のいずれか一つのコイルとが常に選択されている状況である。
【００９９】
このように構成されるとき、図３に示すＳＴＥＰ２において搬送波が一定間隔で出力されると、予めコイル切換回路７２によって選択されている１次側コイル群１９ｘ内のコイル内の端子ｃにこの搬送波が与えられる。そして、予めコイル切換回路８２によって選択されている２次側コイル４１ｘ内のコイル両端に電圧が誘起される。この電圧が電圧測定部８４によって測定され、メモリ８５に測定電圧値が送られて記憶される。このとき、測定電圧値とともに、１次側コイル群１９ｘで選択されているコイル及び２次側コイル群４１ｘで選択されているコイルそれぞれの組み合わせの情報も併せて記憶される。
【０１００】
メモリ８５に測定電圧値及びコイルの組み合わせが格納されると、切換制御部８３はコイル切換回路８２に対して２次側コイル４１ｘ内のコイルを切り換える旨の制御信号を送信する。コイル切換回路８２は制御信号に基づいてコイルの切換を行い、この切り換えられたコイルの両端に誘起された電圧を再び電圧測定部８４が測定して、測定された電圧値が、コイルの組み合わせとともにメモリ８５に格納される。以下このようにして２次側コイル４１ｘに配置されたすべてのコイルに対してコイル切換と電圧値の測定を行う。
【０１０１】
２次側コイル群４１ｘに配置された全てのコイルに対しての切換が完了すると、切換制御部８３は信号伝送用２次側コイル８１に対して１次側コイル群１９ｘのコイル切換指示信号を送信する。この信号はトランス７０を介して信号伝送用１次側コイル７１より切換制御部７３に与えられる。切換制御部７３は、信号伝送用１次側コイル７１より信号が送られると、コイル切換回路７２に対して１次側コイル１９ｘ内のコイルを切り換える旨の制御信号を送信する。そしてコイル切換回路７２が、切換制御部７３からの切換指示に基づいて１次側コイル群１９ｘ内のコイルの切換を行う。
【０１０２】
１次側コイル群１９ｘのコイルが切り換えられると、この切り換えられたコイルと２次側コイル群４１ｘ内の選択されたコイルとの間で成立するトランスを介して２次側コイル群４１ｘ内の選択されたコイルの両端に電圧が誘起される。この電圧を電圧測定部８４が測定し、コイルの組み合わせとともにメモリ８５で格納する。以下、このようにして１次側コイル群１９ｘを構成する全てのコイルと、２次側コイル群４１ｘを構成する全てのコイルとの組み合わせによる２次側誘起電圧の測定を行う。
【０１０３】
全ての電圧測定が完了すると、切換制御部８３はメモリ８５に格納された全電圧値から最も高い電圧値を示している組み合わせを選択し、当該組み合わせに該当するコイルが再び選択されるようにコイル切換回路８２及び切換制御部７３に制御信号を与える。切換制御部７３は、トランス７０を介して切換制御部８３から送られた制御信号に基づいてコイル切換回路７２に対してコイル切換の指示を与え、１次側コイル群１９ｘ内の選択コイルを確定する。又、コイル切換回路８２は、切換制御部８３からの制御信号に基づいて２次側コイル群４１ｘ内の選択コイルを確定する。
【０１０４】
このようにして確定した１次側コイル及び２次側コイルを利用して図３におけるＳＴＥＰ３以降の各ステップを行う。尚、１次側コイル及び２次側コイルが確定するまでの間、ＳＴＥＰ３以降のステップに進まないように２次側コイル群後段に接続される各回路の前段にスイッチを設けるとともに、２次側コイルが確定するまでの間は当該スイッチがオフ状態にされており、２次側コイルが確定した段階でこのスイッチがオン状態に制御されるものとしても構わない。このとき、切換制御部８３からスイッチの制御信号が与えられるものとしても良い。
【０１０５】
このように構成することによって、共用クレードル４上に載置されるＰＤＡ３の位置にズレが生じた場合においても、送電効率の高いコイルの組み合わせを選択できるので、ＰＤＡ３に対して所望の電力を供給することができる。尚、ＰＤＡ３に対して充電を行っている最中に、共用クレードル４上におけるＰＤＡ３の設置位置に変化が生じた場合等、送電効率が悪化した場合には、充電あるいはデータ転送を一時的に停止させるとともに、再び送電効率が最も高いコイルの組み合わせの選択を行い、選択すべきコイルが確定した後充電あるいはデータ転送を再開するものとしても構わない。このとき、電圧測定部８４が常にコイル両端に発生する電圧を測定するとともに、この測定電圧をメモリ８５に記憶させ、充電中あるいはデータ転送中にこの測定された電圧値が急激に変化した場合に一時的に充電あるいはデータ転送を停止して、送電効率の高いコイルの組み合わせであるかどうかの確認動作を行うものとしても構わない。
【０１０６】
尚、上述では、切換制御部８３がメモリ８５に格納された全電圧値の内の最も高い電圧値を示している組み合わせを選択するものとしたが、所定の送電効率を上回る組み合わせが存在しない場合には、全ての組み合わせを選択せず、再度電圧測定部８４が２次側コイル群４１ｘを構成する各コイル両端に誘起される電圧を測定するステップに戻るものとしても構わない。このとき、共用クレードル４が、ＰＤＡ３を送電モジュール１０上に載置し直す旨の指示信号を与えるものとしても構わないし、発光ダイオードが所定の色に発光することで利用者に視覚的に認識させる構成としても構わない。
【０１０７】
尚、上述では１次側コイル群１９ｘ及び２次側コイル群４１ｘの双方が複数のコイルで構成されるものとしたが、このうちの一方のみが複数のコイルで構成され、他方は一つのコイルで構成されるものとしても構わない。
【０１０８】
又、上述においては、共用クレードル４のＡＣプラグ７をＡＣコンセントの差込口に差込むことで送電モジュール１０の内部電源Ｖｃｃが生成されるとともに、この直流電圧が各回路に供給されるものとしたが、共用クレードル４に利用者が外部から操作可能な電源スイッチを設け、ＡＣプラグ７をＡＣコンセントの差込口に差込んだ上でこのスイッチをＯＮ状態に操作することによって初めて送電モジュール１０に電源が供給される構成としても構わない。このようにすることで、ＡＣプラグ７がＡＣコンセント差込口に差込まれた状態でも各回路に対して電力を供給しないように操作でき、電力消費を抑制することができる。
【０１０９】
更に、予め共用クレードル４内に備えられた１次側コイル１９によって送電可能であるエリアを測定しておくとともに、このエリアが共用クレードル上で発光するエリア用発光ダイオードを備え、共用クレードル４に商用電源が印加されるとこのエリア用発光ダイオードが発光する構成とすることもできる。このようにすることで、利用者はＰＤＡ３のおおよその載置位置を視覚的に把握することができる。尚、このエリア用発光ダイオードは内部電源Ｖｃｃから電源供給を受けて発光する回路構成としても良い。
【０１１０】
又、送電モジュール１９が１次側コイル１９を流れる電流を測定する電流測定センサを備え、ＰＤＡ３を共用クレードル４に近接させた場合に１次側コイル１９に流れる電流値を当該電流測定センサによって測定し、この測定値が所定の値よりも大きい場合にのみエリア用発光ダイオードを発光させる構成としても構わない（図８参照）。
【０１１１】
図８に示す回路構成は、図２に示す回路構成に加え、１次側コイル１９を流れる電流値を測定する電流センサ９１と、この電流センサ９１が測定した電流値が送られるとともに、この値をもとにエリア用発光ダイオードの表示制御を行うエリア用ＬＥＤ表示回路９２と、このエリア用ＬＥＤ表示回路９２からの制御信号に基づいてオンオフ制御されるスイッチング素子９３と、内部電源Ｖｃｃがスイッチング素子９３を介して与えられるエリア用発光ダイオード９４とを備えている。又、このエリア用発光ダイオード９４は、過電流防止用の抵抗９５を介して電流が入力される構成としても良い。このとき、電流センサ９１からの測定値がエリア用ＬＥＤ表示回路９２に与えられるとともに、当該エリア用ＬＥＤ表示回路９２に予め記憶された所定の電流値よりも大きい電流値を確認した場合にのみ、エリア用ＬＥＤ表示回路９２がスイッチング素子９３に対して制御信号を与えて、スイッチング素子９３をオン状態に制御する。スイッチング素子９３がオン状態になると、内部電源Ｖｃｃがエリア用発光ダイオード９４に与えられて、エリア用発光ダイオード９４が発光する。
【０１１２】
このとき、１次側コイル１９が共用クレードル４上に所定の距離だけ離れた状態で備えられている場合、ＰＤＡ３を共用クレードル４上に近接させると、その近接させた時点におけるＰＤＡ３に備えられた２次側コイル４１と磁気結合を形成すると最も送電効率が高い１次側コイル１９が対応可能なエリアのみが共用クレードル４上に発光するため、利用者は共用クレードル４上にＰＤＡ３を載置する際に当該ＰＤＡ３の現在位置に対して最適な載置場所を視覚的に把握することができる。
【０１１３】
更に、１次側コイル１９が複数個備えられた１次側コイル群１９ｘが共用クレードル４上に所定の距離だけ離れた状態で備えられている場合においても、１次側コイル群１９ｘ内の１個のコイルを選択して上記と同様に電流値の測定を行うとともに、エリア用発光ダイオードが発光しているエリアにＰＤＡ３を載置後、改めて１次側コイル群１９ｘ内に属するいずれのコイルを選択して送電を行うかについての判定を行うものとしても構わない。
【０１１４】
又、共用クレードル４が複数の送電モジュール１０を内部に備える構成としても構わない。このように構成することによって、共用クレードル４上に載置された複数のＰＤＡ３に対して同時に効率的に電力供給を行うことが可能である。
【０１１５】
尚、上述では共用クレードル４上にＰＤＡ３を載置する例で説明を行ったが、同様の構成であれば他の実施例に対しても応用が可能である。以下図面を参照して他の実施例について説明を行う。尚、電力の供給方法及びデータ通信方法は上述と同様であるため、その説明を省略する。
【０１１６】
図９は、載置された電子機器に対して電力供給を行うパワーサプライパッドを用いて電子機器に対して充電を行う概念図を示している。パワーサプライパッド１００は、内部に送電モジュール１０を備えるとともに、この送電モジュール１０は１次側コイル１９を複数備える構成である。このパワーサプライパッド１００は、その上面がテーブル天板１０１で構成されており、テーブル天板１０１上に受電モジュール４１を備える電子機器１０３を載置することで、電子機器１０３が備える受電モジュール４０とパワーサプライパッド１００内の送電モジュール１０との間で送電が行われる構成である。又、パワーサプライパッド１００は、有線又は無線によって外部のＰＣ２とデータ通信が可能な構成である。
【０１１７】
又、送電モジュール１０はエリア用発光ダイオード９４を備えており、このエリア用発光ダイオード９４によってテーブル平板１０１の最適載置エリアが発光する構成である。更に、電子機器１０３としては上述のＰＤＡ３に限られず、例えば携帯電話、ＣＤプレイヤー等の電子機器であっても構わない。
【０１１８】
このように構成されるとき、テーブル天板１０１が広いテーブルで構成されている場合においても、電子機器１０３を載置するエリアが発光するため、利用者が視覚的に載置位置を把握することができ、利便性が良い。又、上述のように複数の送電モジュール１０を内部に備えることによって、同時に複数の電子機器１０３に対して送電することができる。又、ＰＣ２と通信を行うことが可能であるため、例えば電子機器１０３が携帯電話である場合に、携帯電話内部にメモリされている住所録等を一時的にＰＣ２に移動させることができる。
【０１１９】
このとき、更に図１０に示すように、パワーサプライパッド１００の代わり送電モジュール１０が内部に備えられたショーケース１１０の上部のテーブル天板１０１上に電子機器１０３を複数載置させる構成とすることもできる。このショーケース１１０は、パワーサプライパッド１００と同様、ＰＣ２と無線あるいは有線でデータ通信が可能な構成である。このようにすることで、例えば多くの電子機器を店頭で展示する電器店等にショーケース１１０が設置されるとともに、当該ショーケース１１０上に商品である電子機器１０３を載置しておくことで当該電子機器１０３に対して自動的に充電が行えるので、充電のためのコードが不要となり煩雑さを回避することができる。又、顧客が実際に商品である電子機器１０３を手にとって試用した後、従業員が所定のエリア内にこの商品を設置しておくことで自動的に充電が行えるため、電子機器１０３の電源をオフにせず常時オンにしておくことができ、効果的な商品陳列が可能となる。このとき、更に最適設置エリアがテーブル天板１０１上で発光するようにエリア用発光ダイオード９４を備える構成としても良い。
【０１２０】
図１１に別の実施例を示す。図１１（ａ）は、モバイル機器に対して充電及びデータ通信を行うことが可能なモバイル基地を示している。又、図１１（ｂ）は、図１１（ａ）の一部を拡大した概念図である。
【０１２１】
図１１（ａ）に示すモバイル基地１２０は、複数の側面板１２１を備え、この側面板１２１が所定の間隔で設置されている。モバイル基地１２０は商用電源が供給されており、又、ＰＣ２と有線又は無線によってデータ通信が可能な構成である。側面板１２１は、内部に送電モジュール１０が備えており、側面板１２１で仕切られるモバイル基地１２０内のモバイル機器設置エリア１２３に受電モジュール４０を備えたモバイル機器１２２を設置することで、側面板１２１内の送電モジュール１０とモバイル機器１２２内の受電モジュール４０との間で送電及びデータ通信が行われる構成である。図１１（ｂ）に、側面板１２１内の送電モジュール１０とモバイル機器１２２内の受電モジュール４０との間で形成される磁気結合の概念図を示す。側面板１２１内の送電モジュール１０が備える１次側コイル１９と、モバイル機器１２２内の受電モジュール４０が備える２次側コイル４１とで形成される磁気結合によって、上述した電力供給及びデータ通信が行われる。尚、この側面板１２２を横方向にスライド可能な構成とし、設置されるモバイル機器１２２の厚さに併せてモバイル機器設置エリア１２３の広さを変化させることができる構成としても構わない。このように構成することで、種々の厚さのモバイル機器１２２に対応したモバイル基地１２０が形成される。更に、側面板１２１は、両サイドの内部に送電モジュール４０を備えるモノとしても良い。これによって、１つのモバイル機器設置エリア１２３に複数のモバイル機器１２２を設置して対応させることができる。
【０１２２】
尚、複数のモバイル機器１２２が設置されるとともに、当該複数のモバイル機器１２２とＰＣ２との間でデータ通信が行われる際、ＰＣ２内には予めモバイル基地１２０のモバイル機器設置エリア１２３に応じたデータ格納場所が用意されている構成とすることで、モバイル基地１２０からＰＣ２に送られたデータがそのモバイル機器１２２から送られたデータであるかを識別することができ、データの混同を防止することができる。逆に、モバイル基地１２０に設置されたどのモバイル機器１２２に対してＰＣ２からデータを送信する場合においても、送信先であるモバイル機器１２２が設置されているモバイル機器設置エリア１２３に該当するデータ格納場所に送信対象のデータを予め移しておくことで、誤って他のモバイル機器１２２に対してデータを送信するという事態を回避することができる。
【０１２３】
図１２に別の実施例を示す。図１２（ａ）は、モバイル機器に対して充電行うことが可能なアタッシェケースを用いてモバイル機器に対して充電を行う概念図を示している。又、図１２（ｂ）はモバイル機器を取り付けた状態のアタッシェケースを側面の方向から見たときの図である。
【０１２４】
図１２（ａ）に示すアタッシェケース１３０は、内部に送電モジュール１０を備える側面板１３１と、モバイル機器を固定するための弾性バンド１３２とを備える。又、アタッシェケース１３０は、商用電源が供給されるためのＡＣプラグを備えた電源コードを有し、ＡＣプラグをＡＣコンセントの差込口に差し込むと、アタッシェケース１３０の側面板１３１内部に備えられた送電モジュール１０に商用電力が供給される仕組みである。
【０１２５】
図１２（ａ）に示すように、モバイル機器１３３をアタッシェケース１３０の所定位置に取付けるとともに、弾性バンド１３２でモバイル機器１３３の設置位置を固定する。このとき図１２（ｂ）に示すように、モバイル機器１３３は、内部に受電モジュール４０を備えており、この受電モジュール４０内の２次側コイル４１と、側面板１３１に備えられる送電モジュール１０内の１次側コイル１９との間で高い送電効率が維持されるように弾性バンド１３２によって設置位置が固定される。このような状態で、アタッシェケース１３０に商用電源が供給されると、上述のように送電モジュール１０と受電モジュール４０との間で磁気結合が発生して受電モジュール４０に対して電力が供給される。これによってモバイル機器１３３をわざわざアタッシェケース１３０から取り出してＡＣアダプタに接続することなく、アタッシェケース１３０に入れたままの状態で充電を行うことができる。尚、本実施例においても、送電モジュール１０及び受電モジュール４０がそれぞれ複数のコイルを備え、最も送電効率が高いコイルの組み合わせを選択して送電されるものとしても構わない。
【０１２６】
更に、アタッシェケース１３０が、側面板１３１にモバイル機器１３３の最適設置エリアを発光させるエリア用発光ダイオード９４を備える構成としても構わないし、ＰＣ２と有線又は無線によってデータ通信が可能な構成であって、このＰＣ２と当該アタッシェケース１３０の所定の位置に設置されたモバイル機器１３３との間でデータ通信を行うことができる構成としても構わない。このように構成することで、アタッシェケース１３０にモバイル機器１３３を入れたままの状態で、ＰＣ２からモバイル機器１３３に対してデータを送信することができる。
【０１２７】
図１３に別の実施例であるコードレスマウスを示す。図１３（ａ）は、内部に受電モジュール４０を含む本実施例のコードレスマウスの概念図である。又、図１３（ｂ）は、このコードレスマウスとマウスパッドの回路構成を示すブロック図である。
【０１２８】
コードレスマウス１４０は、受電モジュール４０及びこの受電モジュール４０と電気的に接続された従来のマウスの機能を構成するためのマウス用回路１４３を内部に備える。更に、内部にメモリ１４４を備えており、このメモリ１４４にデータを格納することができる構成である。
【０１２９】
又、マウスパッド１４１は送電モジュール１０を備えており、コードレスマウス１４０内の受電モジュール４０との間で電力供給が可能な構成となっている。このマウスパッド１４１は、商用電源が供給されるためのＡＣプラグを備えた電源コードを有し、ＡＣプラグをＡＣコンセントの差込口に差し込むと、マウスパッド１４１の送電モジュール１０に商用電源が供給される仕組みである。更に、このマウスパッド１４１は有線又は無線によってＰＣ２とデータ通信が可能な構成である。
【０１３０】
このように構成されるとき、商用電源が供給されるマウスパッド１４１上に載置されるコードレスマウス１４０は、内部に備えられた受電モジュール４０に対してマウスパッド１４１内の送電モジュール１０から電力供給を受ける。この与えられた電力がマウス用回路１４３に供給されるため、コードレスマウス１４０内部に充電用の２次電池を備える必要がなく、コードレスマウス１４０自体の軽量化を図ることができる。
【０１３１】
又、マウスパッド１４１がＰＣ２との間でデータ通信可能な構成であるため、ＰＣ２から送られたデータをマウスパッド１４１に与えるとともに、この与えられたデータを１次側コイル１９と２次側コイル４０との間で伝送することでコードレスマウス１４０内のメモリ１４４に格納することができる。これによって、当該コードレスマウス１４０を携帯すればデータを自由に持ち運ぶことが可能である。
【０１３２】
尚、このとき、マウスパッド１４１に備えられる送電モジュール１０には複数の１次側コイル１９が備えられており、マウスパッド１４１上のコードレスマウス１４０の位置に応じて送電に利用される１次側コイル１９を切り換える構成としても構わない。又、コードレスマウス１４０が外部記憶媒体を差込むことのできる差込口を備えるとともに、この差込口に差込まれた記憶媒体に対してＰＣ２から送られたデータが格納される構成としても構わない。更に、マウスパッド１４１がコードレスマウス１４０の最適設置エリアを発光させるエリア用発光ダイオード９４を備える構成としても構わない。
【０１３３】
図１４に別の実施例である電気スリッパを示す。図１４（ａ）は、充電可能な２次電池を内部に含む本実施例の電気スリッパの概念図である。又、図１４（ｂ）は、この電気スリッパ内部の回路構成を示すブロック図である。尚、本実施例の電気スリッパは、例えば図９のパワーサプライパッド１００上に載置されることで充電される構成であり、図１４（ａ）ではパワーサプライパッド１００も併せて示している。
【０１３４】
図１４（ａ）に示す電気スリッパ１５０は、内部にヒータ１５４を備えており、このヒータ１５４が発熱することで電気スリッパ１５０を履いている利用者の足元を暖める作用を備えたスリッパである。この電気スリッパは図１４（ｂ）に示すように、内部に受電モジュール４０と充電用２次電池１５２を備えており、この充電用２次電池１５２は受電モジュール４０から与えられる電力によって充電がされる構成である。図１４（ｂ）では、２次側コイル４１を受電モジュール４０とは別に記載している。尚、図１４（ｂ）では、２次側コイル４１を電気スリッパ１５０の底面及び上面の２カ所に備える構成としている。
【０１３５】
又、電気スリッパ１５０は、ヒータ１５４の加熱調節を行うヒータ制御部１５３を備え、このヒータ制御部１５３がヒータ１５４の制御を行って電気スリッパ１５０の温度調節を行う。又、電気スリッパ１５０表面の温度を測定する温度センサ１５５が備えられており、温度センサ１５５で測定された電気スリッパ１５０表面の温度がヒータ制御部１５３に与えられる構成である。
【０１３６】
このように構成されるとき、電気スリッパ１５０の使用中は、充電用２次電池１５２から供給される電力を用いてヒータ１５４の加熱が行われるため、従来の電気スリッパのように電力供給用のコードが不要となり、歩行障害を回避できる。この電気スリッパ１５０を上述のパワーサプライパッド１００上に設置することで、パワーサプライパッド１００に供給される商用電源から送電モジュール１０に電力が供給されるとともに、この供給された電力が受電モジュール４０に与えられて充電用２次電池１５２に送られることで充電が可能な構成である。このとき、図１４（ｂ）に示すように電気スリッパ１５０の底面及び上面の２カ所に２次側コイル４１を備える構成とすることによって、底面と上面のいずれの面をパワーサプライパッド１００の天板１０１と接するように設置してもパワーサプライパッド１００内の１次側コイル１９から電力を受けることができる。
【０１３７】
更にこのとき、電気スリッパ１５０がデータを格納できるメモリ１５１を備えるとともに、ヒータ制御部１５３がメモリ１５１に格納されたデータに基づいてヒータ１５４の加熱制御を行う構成とする。このとき、ＰＣ２で予め利用者の体温等の身体的なデータを入力しておくとともに、このデータがＰＣ２からパワーサプライパッド１００に与えられて電気スリッパ１５０のメモリ１５１に送られる。電気スリッパ１５０は、ヒータ制御部１５３がメモリ１５１に格納された利用者の身体データに基づいて、電気スリッパ１５０の目標表面温度を算出するとともに当該温度に維持するようにヒータ１５４の加熱制御を行う。このように構成することによって、利用者の身体に応じて適した温度に維持された状態で足元を暖めることが可能となる。
【０１３８】
図１５に別の実施例であるナレーション端末を示す。図１５（ａ）は、内部に受電モジュール４０を含む本実施例のコードレス型ナレーション端末の概念図である。又、図１５（ｂ）は、このコードレス型ナレーション端末と設置充電スポットの回路構成を示すブロック図である。
【０１３９】
ナレーション端末１６０は、例えば博物館や水族館などに設置され、利用者が耳にあてることでナレーション端末１６０が設置されている所定の箇所についての音声説明が流れる仕組みである。ナレーション端末１６０は、当該音声説明が記憶されるメモリ１６２と、従来のナレーション端末が備えるナレーション再生用回路１６１とを備えるとともに、内部に受電モジュール４０と充電用２次電池１６３を備える。又、端末を設置する設置スポット１６５は、内部に送電モジュール１０を備えるとともに、外部より商用電源が供給される構成になっている。更に、設置スポット１６５は上述の共用クレードル４と同様にＰＣ２との間でデータ通信が可能な構成である。
【０１４０】
ナレーション端末１６０は、利用者が使用していない不使用時には設置スポット１６５に設置されており、設置スポット１６５内の送電モジュール１０から端末内の受電モジュール４０に電力が供給される構成である。この供給される電力は、充電用２次電池１６３に与えられて充電がされる。利用者がナレーション端末１６０を設置スポット１６５から取り外して耳に当てると、充電用２次電池１６３から供給される電力を用いて再生用回路１６１がメモリ１６２に記憶された音声説明を読み出して再生を行う。このように構成されることで、利用者が利用していない間に、端末１６０に自動的に充電が行われるため電池切れの恐れが少なくなる。
【０１４１】
更にＰＣ２から説明用の音声データを設置スポット１６５に与えるとともに、設置スポット１６５に設置されたナレーション端末１６０にこの音声データが送られる構成とすることができるので、音声説明の内容が変化した場合にも、予め新しい音声データをＰＣ２の所定の格納箇所に用意しておくことで、充電とともに新しい音声説明データをメモリ１６２に記憶することができる。更に、予め設置スポット１６５毎の音声データ格納箇所をＰＣ２内に設けることで、異なる箇所に設置されたナレーション端末１６０に対して、端末毎に正しい内容の音声データを送信することが可能である。これによって、ナレーション端末１６０を取り外して個別にデータを入力する場合に比べて、労力の削減が図られるとともに、当該入力すべき音声データの混同防止効果が期待できる。
【０１４２】
図１６に別の実施例であるカラオケリモコン端末を示す。図１６（ａ）は、内部に受電モジュール４０を含む本実施例のカラオケリモコン端末の外観図である。又、図１６（ｂ）は、カラオケリモコン端末の回路構成と、このカラオケリモコン端末の充電を行う共用クレードルの回路構成のブロック図を示す。尚、本実施例のカラオケリモコンは、例えば図１の共用クレードル４上に載置されることで充電される構成であり、図１６（ａ）では共用クレードル４も併せて示している。
【０１４３】
従来のカラオケリモコン端末は、操作ボタンを備えており、利用者が所望する楽曲に対応した所定の番号を入力してカラオケ再生機（不図示）に送信すると、カラオケ再生機が当該送信された番号に該当する楽曲を選択して再生するとともに、モニタ（不図示）に当該楽曲の歌詞を表示する構成である。本実施例のカラオケリモコン端末１７０は、利用者が所望する楽曲に対応した番号を再生機に送信する等の従来のカラオケリモコンに備えられた機能を構成するためのカラオケリモコン用回路１７１に加えて、カラオケリモコン端末１７０上に文字等を表示するための表示回路１７２と、データを格納するメモリ１７４と、充電用２次電池１７３とを備える。又、この充電用２次電池１７３に電力を供給する受電モジュール４０を内部に有する。更に、カラオケリモコン端末１７０は、所定の情報を表示する表示画面１７５を備える。
【０１４４】
カラオケリモコン端末１７０を、商用電圧が供給される共用クレードル４上に載置すると、共用クレードル４が備える送電モジュール１０内の送電用コイル１９と、カラオケリモコン端末１７０が備える受電モジュール４０内の受電用コイル４１との間で磁気結合が発生して受電モジュール４０に電力が供給される。この電力は充電用２次電池１７３に与えられて充電が行われる。一方、共用クレードル４は、ＰＣ２とデータ通信が可能な構成であるとともに、ＰＣ２がネットワーク１７９を介して情報サーバ１７８にアクセス可能な構成であるとする。このとき、ＰＣ２は、情報サーバ１７８から新曲の情報等の新着情報が送られると、共用クレードル４に対して当該新着情報のデータを送信するとともに、共用クレードル４は、送られてきた新着データをカラオケリモコン端末１７０の２次側コイル４１を介してメモリ１７４に与える。このようにしてカラオケリモコン端末１７０は、当該メモリ１７４に新着情報が逐次書き込まれるとともに、表示回路１７２からメモリ１７４に書き込まれた情報が読み出されることで、リモコン端末上の表示画面に当該新着情報の内容を表示させることができる。
【０１４５】
従来のカラオケシステムでは新着情報がモニタにしか表示されなかったが、このように構成されることによってカラオケリモコン端末１７０の表示画面１７５上に当該情報を表示させることが可能となり、モニタから遠く離れた位置にいるカラオケ利用者もリモコン端末１７０上の表示内容を確認することで当該新着情報を認識することができる。
【０１４６】
尚、本実施例においては、ＰＣ２が共用クレードル４に対してデータを与える構成としているが、ＰＣ２の代わりに通信カラオケ端末（不図示）が共用クレードル４に対してデータを与えるものとしても構わない。
【０１４７】
又、上述の各実施例において、共用クレードル４、パワーサプライパッド１００、側面板１２１、側面板１３１、マウスパッド１４１、設置スポット１６５は、それぞれ複数の送電モジュール１０を備えるものとしても構わないし、各送電モジュール１０が複数の１次側コイル１９で構成される１次側コイル群１９ｘを備えるものとしても構わない。同様に、電子機器１０３、モバイル機器１２２、モバイル機器１３３、コードレスマウス１４０、電気スリッパ１５０、ナレーション端末１６０、カラオケリモコン端末１７０は、それぞれ複数の受電モジュール４０を備えるものとしても構わないし、各受電モジュール４０が複数の２次側コイル４１で構成される２次側コイル群４１ｘを備えるものとしても構わないし、最適載置エリアを発光ダイオードによって発光させる最適載置位置発光機能を備えるものとしても構わない。
【０１４８】
更に、上述の各実施例において、共用クレードル４、パワーサプライパッド１００、側面板１２１、側面板１３１、マウスパッド１４１、設置スポット１６５はそれぞれ外部から商用電源が供給される構成としたが、内部に電池を備えるとともに、この電池より電力が供給される構成としても構わない。このように回路が構成されるときのブロック図を図１７に示す。尚、以下では共用クレードル４内に図１７に示される回路構成が備えられるものとして説明を行うが、共用クレードル４に限らず、他のパワーサプライパッド１００、側面板１２１、側面板１３１、マウスパッド１４１、設置スポット１６５についても同様である。
【０１４９】
図１７に示す送電モジュール１０ｂのブロック図は、図２に示す送電モジュール１０のブロック図より、ＡＣプラグ７、コード６、整流回路１３、平滑回路１４を取り除くとともに、電池１８１を備え、この電池１８１の出力がスイッチング回路１５に与えられる構成である。このように構成されるとき、電池１８１から直流電源が供給される以外は、図２とその構成は同一である。このように構成する送電モジュール１０を共用クレードル４の内部に備えることにより、近くに商用電源を供給する商用コンセントが存在しない場所においても当該共用クレードル４上に載置される電子機器（例えばＰＤＡ３）に対して電力供給を行うことが可能である。
【０１５０】
尚、電池１８１からの出力がオンオフ制御可能なスイッチを介して各回路に接続される構成とするとともに、このスイッチを外部から利用者が操作できるように構成することで、利用しない場合はスイッチをオフにして消費電力を抑制することができる。
【０１５１】
又、この電池１８１を２次電池で構成するとともに、２次電池１８１の入力端子にＡＣアダプタを介して商用電圧を印加する構成としても構わない。このように構成することで、共用クレードル４が備える電池１８１が充電可能な構成となる。尚、このとき、図２に示すＡＣプラグ７、コード６、整流回路１３、平滑回路１４を備えるとともに、平滑回路１４で平滑化された直流電源が２次電池１８１に入力される構成とすることもできる。
【０１５２】
尚、図１７は、図２に示すブロック図に対してＡＣプラグ７、コード６、整流回路１３、平滑回路１４を取り除くとともに、電池１８１を備え、この電池１８１の出力がスイッチング回路１５に与えられる構成としたものであるが、最適載置エリアが発光する発光ダイオードを備える構成とすることもできる。即ち、図１７の構成の代わりに、図８に示すブロック図に対してＡＣプラグ７、コード６、整流回路１３、平滑回路１４を取り除くとともに、電池１８１を備え、この電池１８１の出力がスイッチング回路１５に与えられる構成としても構わない。
【産業上の利用可能性】
【０１５３】
本発明の電力供給システムは、送電モジュールを内蔵したクレードル、パワーサプライパッド、マウスパッド等が送電装置として利用可能であるとともに、受電モジュールを内蔵したＰＤＡ、携帯電話、コードレスマウス、電気スリッパ、カラオケリモコン等が受電装置として利用可能である。
【図面の簡単な説明】
【０１５４】
【図１】は、本発明の実施形態における電力供給システムの概念図である。
【図２】は、本実施形態の電力供給システムの電気的構成を示すブロック図である。
【図３】は、図１における共用クレードルからＰＤＡに対して電力供給が行われるときの動作の流れを示すフローチャートである。
【図４】は、図１における共用クレードルとＰＤＡとの相対位置と伝達効率との関係を示す図である。
【図５】は、図１における共用クレードルが備える発光ダイオードの表示状態を示した表である。
【図６】は、図１におけるＰＣとＰＤＡとの間でデータの送受信が行われるときの動作の流れを示すフローチャートである。
【図７】は、本実施形態の電力供給システムの電気的構成の一部を示すブロック図である。
【図８】は、本実施形態の電力供給システムの電気的構成を示す別のブロック図である。
【図９】は、本発明の実施形態における電力供給システムにおける別の実施例であるパワーサプライパッドの概念図である。
【図１０】は、本発明の実施形態における電力供給システムにおける更に別の実施例であるショーケースの概念図である。
【図１１】は、本発明の実施形態における電力供給システムにおける更に別の実施例であるモバイル基地の概念図である。
【図１２】は、本発明の実施形態における電力供給システムにおける更に別の実施例であるアタッシェケースの概念図である。
【図１３】は、本発明の実施形態における電力供給システムにおける更に別の実施例であるコードレスマウスの概念図である。
【図１４】は、本発明の実施形態における電力供給システムにおける更に別の実施例である電気スリッパの概念図である。
【図１５】は、本発明の実施形態における電力供給システムにおける更に別の実施例であるナレーション端末の概念図である。
【図１６】は、本発明の実施形態における電力供給システムにおける更に別の実施例であるカラオケリモコンの概念図である。
【図１７】は、本実施形態の電力供給システムの電気的構成を示す更に別のブロック図である。
【図１８】は、従来の電力供給システムを搭載した携帯電話機とその携帯電話機のＡＣアダプタの外観を示す外観図である。
【図１９】は、従来の電力供給システムを搭載したモバイル機器とそのモバイル機器のＡＣアダプタの外観を示す外観図である。
【図２０】は、従来の電力供給システムを搭載したシェーバーとそのシェーバーのＡＣアダプタの外観を示す外観図である。
【符号の説明】
【０１５５】
１    電力供給システム
２    ＰＣ
３    ＰＤＡ
４    共用クレードル
５    ＬＥＤ表示部
６    コード
７    ＡＣプラグ
８    ライン
１０、１０ａ、１０ｂ    送電モジュール
１３    整流回路
１４    平滑回路
１５    スイッチング回路
１６    トランス
１７    整流回路
１８    平滑回路
１９    １次側コイル
１９ｘ    １次側コイル群
２０    送電制御ＩＣ
２１    スイッチング素子
２２    スイッチング素子
２３    スイッチング素子
２４    電力切換回路
２５    発光ダイオード
２６    発光ダイオード
２７    抵抗
２８    抵抗
２９    スイッチング素子
３０    トランス
３１    スイッチング素子
３２    ＬＥＤ表示回路
３３    搬送波発振回路
３４    変復調回路
３５    復調回路
３６    送電可否判定回路
３７    電力量判定回路
３８    満充電判定回路
４０、４０ａ    受電モジュール
４１    ２次側コイル
４１ｘ    ２次側コイル群
４２    平滑用コンデンサ
４３    整流回路
４４    平滑回路
４５    変復調回路
４６    クロック抽出回路
４７    変調回路
４８    パワーオンリセット回路
４９    電圧クランプ回路
５０    受電制御ＩＣ
５１    レギュレータ
５２    充電制御回路
６１    スイッチング制御部
６２    データ送信指示信号発生部
６３    スイッチング素子
６４    変換部
７０    トランス
７１    信号伝達用１次側コイル
７２    コイル切換回路
７３    切換制御部
８１    信号伝達用２次側コイル
８２    コイル切換回路
８３    切換制御部
８４    電圧測定部
８５    メモリ
９１    電流センサ
９２    エリア用ＬＥＤ表示回路
９３    スイッチング素子
９４    エリア用発光ダイオード
９５    抵抗
１００    パワーサプライパッド
１０１    テーブル天板
１０３    電子機器
１１０    ショーケース
１２０    モバイル基地
１２１    側面板
１２２    モバイル機器
１２３    モバイル機器設置エリア
１３０    アタッシェケース
１３１    側面板
１３２    弾性バンド
１３３    モバイル機器
１４０    コードレスマウス
１４１    マウスパッド
１４３    マウス用回路
１４４    メモリ
１５０    電気スリッパ
１５１    メモリ
１５２    ２次電池
１５３    ヒータ制御部
１５４    ヒータ
１５５    温度センサ
１６０    ナレーション端末
１６１    ナレーション再生用回路
１６２    メモリ
１６３    ２次電池
１６５    設置スポット
１７０    カラオケリモコン端末
１７１    カラオケリモコン用回路
１７２    表示回路
１７３    ２次電池
１７４    メモリ
１７５    表示画面
１７８    情報サーバ
１７９    ネットワーク
１８１    電池
９０１    携帯電話
９０２    ＡＣアダプタホルダー
９０３    ＡＣアダプタ
９０４    コード
９１１    モバイル機器
９１２    ＡＣアダプタ
９１３    コード
９１４    コード
９１５    ＡＣプラグ
９２１    シェーバー
９２２    ＡＣアダプタ
９２３    コード
９２４    ＡＣアダプタ
【図１】
2006141170.tif 000003
【図２】
2006141170.tif 000004
【図３】
2006141170.tif 000005
【図４】
2006141170.tif 000006
【図５】
2006141170.tif 000007
【図６】
2006141170.tif 000008
【図７】
2006141170.tif 000009
【図８】
2006141170.tif 000010
【図９】
2006141170.tif 000011
【図１０】
2006141170.tif 000012
【図１１】
2006141170.tif 000013
【図１２】
2006141170.tif 000014
【図１３】
2006141170.tif 000015
【図１４】
2006141170.tif 000016
【図１５】
2006141170.tif 000017
【図１６】
2006141170.tif 000018
【図１７】
2006141170.tif 000019
【図１８】
2006141170.tif 000020
【図１９】
2006141170.tif 000021
【図２０】
2006141170.tif 000022